(57)【要約】【課題】本発明は、物語性を備えた演出が実行されている場合、状態が変化してもその演出の物語性を中断させることのない遊技機を提供する。【解決手段】第１状態と、第２状態と、第３状態とが設けられ、第１状態において開始され、第２状態又は第３状態へ移行後も継続される継続演出、及び継続演出が実行されている第１状態において第１条件が成立し、かつ第１条件の成立後に第２条件が成立した後に実行される特定演出を制御する継続演出制御手段と、第１状態、及び第３状態において第２条件が成立したか否かを判定する判定手段と、を備え、継続演出制御手段は、第３状態に滞在中に実行される特定演出を、第１状態に滞在中に実行される特定演出に比べて、遊技者にとって有利な内容とする。【選択図】図３
2018143443.tif 000002
【特許請求の範囲】
【請求項１】
第１状態と、前記第１状態から移行可能な第２状態と、前記第１状態又は前記第２状態から移行可能な第３状態とが設けられ、
前記第１状態において開始され、前記第１状態から前記第２状態又は前記第３状態へ移行した後においても継続して実行される継続演出、及び前記継続演出が実行されている前記第１状態において第１条件が成立し、かつ前記第１条件の成立後に第２条件が成立した後に実行される特定演出を制御する継続演出制御手段と、
前記第１状態、及び前記第３状態において前記第２条件が成立したか否かを判定する判定手段と、を備え、
前記継続演出制御手段は、前記第３状態に滞在中に前記判定手段により前記第２条件が成立したと判定されたことに基づいて実行される前記特定演出を、前記第１状態に滞在中に前記判定手段により前記第２条件が成立したと判定されたことに基づいて実行される前記特定演出に比べて、遊技者にとって有利な内容とすることを特徴とする遊技機。
【請求項２】
複数の図柄を変動表示可能な複数の回転リールと、
遊技者の操作により前記複数の回転リールの図柄の変動表示を開始させるためのスタートスイッチと、
前記スタートスイッチが操作されたことに基づいて、役に当選するか否かの役抽選を行う役抽選手段と、を備え、
前記第２状態は、前記役抽選手段による役抽選にてボーナス状態への移行に係るボーナス移行役に当選し、前記ボーナス移行役に当選した状態が維持されているボーナス内部中状態であって、
前記第２条件は、前記第１条件の成立から所定遊技数が経過することであり、
前記判定手段は、前記第１状態及び前記第３状態において前記所定遊技数の計数を進行し、前記ボーナス内部中状態において前記所定遊技数の計数を停止することを特徴とする請求項１に記載の遊技機。
【請求項３】
前記第３状態は、前記ボーナス状態であって、
種々の情報を外部に向かって表示する表示部と、
前記第１状態における前記役抽選手段による役抽選にて、前記ボーナス移行役に当選したことに基づいて、前記ボーナス内部中状態に滞在中である旨を前記表示部に表示させる報知手段と、
を備えたことを特徴とする請求項２に記載の遊技機。
【請求項４】
前記役抽選手段は、複数段階の設定値毎に予め定められた抽選確率で役に当選するか否かの役抽選を行い、
前記ボーナス状態は、前記設定値によって前記ボーナス移行役に当選する確率が変動する第１ボーナス状態と、前記設定値によって前記ボーナス移行役に当選する確率が変動しない第２ボーナス状態とが設けられ、
前記判定手段は、前記第１ボーナス状態に滞在中の場合、前記所定遊技数の計数を停止し、
前記継続演出制御手段は、前記第２ボーナス状態に滞在中に前記判定手段により前記所定遊技数を経過したと判定されたことに基づいて実行される前記特定演出を、前記第１状態に滞在中に前記判定手段により前記所定遊技数を経過したと判定されたことに基づいて実行される前記特定演出に比べて、遊技者にとって有利な内容とし、
前記報知手段は、前記第１状態における前記役抽選手段による役抽選にて、前記第１ボーナス状態への移行に係るボーナス移行役に当選したことに基づいて、前記第１ボーナス状態への移行に係るボーナス移行役に当選した旨を前記表示部に表示させ、前記第２ボーナス状態への移行に係るボーナス移行役に当選したことに基づいて、前記第２ボーナス状態への移行に係るボーナス移行役に当選した旨を前記表示部に表示させることを特徴とする請求項３に記載の遊技機。
【請求項５】
前記複数の回転リールの各々に対応して設けられ、前記複数の回転リールの図柄の変動表示の開始後、遊技者の操作により前記複数の回転リールの図柄の変動表示を個別に停止させるための複数のストップスイッチを備え、
前記役として、当該役に係る図柄の組合せが有効なライン上に揃った場合に配当の払い出しがある複数の小役が設けられ、
前記小役の前記ストップスイッチの停止操作順序に係る停止操作情報の表示が許容される許容区間と、前記小役の前記停止操作情報の表示が許容されない非許容区間とを備え、
前記第１状態は、前記許容区間に属するとともに、前記第１状態の遊技数の上限が設定され、前記上限に到達したことに基づいて終了するよう設定されており、
前記第１状態の遊技数を計数し、前記第１状態の遊技数が前記上限に到達したか否かを判定する第１状態判定手段を備え、
前記第１状態判定手段は、前記第１状態において前記第１状態の遊技数の計数を進行し、前記ボーナス内部中状態及び前記ボーナス状態において前記第１状態の遊技数の計数を停止することを特徴とする請求項３又は４に記載の遊技機。
【発明の詳細な説明】
【技術分野】
【０００１】
本発明は、遊技機に関する。
【背景技術】
【０００２】
従来から、液晶表示装置を搭載し、その液晶表示装置に演出として種々の画像や映像が表示される遊技機が広く知られている。たとえば、このような遊技機として特許文献１に記載されたものがある。
【０００３】
液晶表示装置を用いた演出としては、たとえば、自己のキャラクターと対戦相手のキャラクターとが対戦する映像を液晶表示装置に表示し、この対戦結果（勝敗）により、遊技者に付与する利益が異なるといった、いわゆるバトル演出が存在する。
【先行技術文献】
【特許文献】
【０００４】
【特許文献１】特開２００９−０５６１７０号公報
【発明の概要】
【発明が解決しようとする課題】
【０００５】
ここで、特許文献１には、「ボーナス役が内部当籤役として決定されたゲーム」と「ボーナス役が内部当籤役として決定されていないゲーム」とでは、異なる演出内容の画像が液晶表示装置に表示される場合がある。そのため、特許文献１の技術では、バトル演出のように物語性を備えた演出が実行されている場合、状態が変化した際に別の演出内容の画像が液晶表示装置に表示されると、バトル演出の物語性が中断してしまうおそれがあり、遊技の興趣を低下させる一因となる。
【０００６】
そこで、本発明は、物語性を備えた演出が実行されている場合、状態が変化してもその演出の物語性を中断させることのない遊技機を提供することを課題とする。また、本発明は、物語性を備えた演出の実行中において状態が変化することにより、遊技者にとっての有利性を変化させる遊技機を提供することを課題とする。
【課題を解決するための手段】
【０００７】
上記課題を解決するために、本発明は、以下のような構成を備える。
本発明に係る遊技機10は、第１状態と、前記第１状態から移行可能な第２状態と、前記第１状態又は前記第２状態から移行可能な第３状態とが設けられ、前記第１状態において開始され、前記第１状態から前記第２状態又は前記第３状態へ移行した後においても継続して実行される継続演出、及び前記継続演出が実行されている前記第１状態において第１条件が成立し、かつ前記第１条件の成立後に第２条件が成立した後に実行される特定演出を制御する継続演出制御手段280と、前記第１状態、及び前記第３状態において前記第２条件が成立したか否かを判定する判定手段290と、を備え、前記継続演出制御手段280は、前記第３状態に滞在中に前記判定手段290により前記第２条件が成立したと判定されたことに基づいて実行される前記特定演出を、前記第１状態に滞在中に前記判定手段290により前記第２条件が成立したと判定されたことに基づいて実行される前記特定演出に比べて、遊技者にとって有利な内容とすることを特徴とする。
【０００８】
ここで、「第１状態において開始され」とは、第１状態の開始に伴って同時に開始される場合と、第１状態の開始後、第１状態に滞在している間に開始される場合との双方が含まれる。
【０００９】
また、「第１状態」とは、たとえば、後述する発明を実施するための形態における「ＡＲＴ状態」が挙げられる。「第２状態」とは、たとえば、発明を実施するための形態における「ボーナス内部中状態のうち、設定差のないボーナス状態に内部当選している状態」が挙げられる。「第３状態」とは、たとえば、発明を実施するための形態における「設定差のないボーナス状態」が挙げられる。なお、「第２状態」は、発明を実施するための形態における「ボーナス内部中状態のうち、設定差のないボーナス状態に内部当選している状態」が望ましいが、「ボーナス内部中状態のうち、設定差のあるボーナス状態に内部当選している状態」としてもよい。また、「第３状態」は、発明を実施するための形態における「設定差のないボーナス状態」が望ましいが、「設定差のあるボーナス状態」としてもよい。
【００１０】
また、継続演出制御手段280が制御する特定演出は、継続演出に関連する内容であることが望ましい。たとえば、継続演出を「キャラクターが攻撃を行うバトル演出」とした場合には、キャラクターの攻撃内容（打撃動作や魔法動作など）が特定演出に相当する。また、継続演出を「乗り物がゴールに向かって競争するレース演出」とした場合、乗り物の速度を上げる加速内容（変速機のギヤを上げる動作や鞭を打って追い出す動作など）が特定演出に相当する。
【００１１】
また、「第３状態に滞在中に実行される特定演出を第１状態に滞在中に実行される特定演出に比べて、遊技者にとって有利な内容とする」ことには、以下の場合が含まれる。
たとえば、第１状態を後述する発明を実施するための形態における「ＡＲＴ状態」として、特定演出を新たなＡＲＴ状態の獲得に近付いたことを示す旨の内容とした場合には、次のようにして、第３状態に滞在中に実行される特定演出がＡＲＴ状態に滞在中に実行される特定演出に比べて、遊技者にとって有利な内容となる。
つまり、第３状態の滞在中に特定演出が実行された場合には、ＡＲＴ状態の滞在中に特定演出が実行された場合に比べて、たとえば、敵へダメージを与える映像におけるダメージの数値を高くすることで、新たなＡＲＴ状態の獲得に一層近付いたことを示しており、遊技者にとって有利な内容としている。
【００１２】
この構成では、継続演出制御手段280により、第１状態において開始された継続演出が、第１状態から第２状態又は第３状態へ移行した後においても継続して実行される。そのため、この構成によれば、継続演出が物語性を有する内容の場合、第１状態から第２状態又は第３状態へ移行した後であっても、その物語性を途切れることなく遊技者に見せることができる。
【００１３】
また、この構成では、継続演出制御手段280により、第３状態に滞在中に判定手段290により第２条件が成立したと判定されたことに基づいて実行される特定演出が、第１状態に滞在中に判定手段290により第２条件が成立したと判定されたことに基づいて実行される特定演出に比べて、遊技者にとって有利な内容とされている。そのため、この構成によれば、第２条件が成立する状態が何れの状態であるかについての関心を高めることができ、遊技進行に一喜一憂させ、遊技の興趣を高めることができる。
【００１４】
また、本発明に係る遊技機10の具体例としては、さらに、複数の図柄61を変動表示可能な複数の回転リール62と、遊技者の操作により前記複数の回転リール62の図柄61の変動表示を開始させるためのスタートスイッチ40と、前記スタートスイッチ40が操作されたことに基づいて、役に当選するか否かの役抽選を行う役抽選手段210と、を備え、前記第２状態は、前記役抽選手段210による役抽選にてボーナス状態への移行に係るボーナス移行役に当選し、前記ボーナス移行役に当選した状態が維持されているボーナス内部中状態であって、前記第２条件は、前記第１条件の成立から所定遊技数が経過することであり、前記判定手段290は、前記第１状態及び前記第３状態において前記所定遊技数の計数を進行し、前記ボーナス内部中状態において前記所定遊技数の計数を停止することを特徴とする。
【００１５】
ここで、「所定遊技数」の「所定」とは、「予め定められている場合（たとえば、１０遊技）」と「抽選を行うことで決定される場合（たとえば、１０遊技と２０遊技との２つのうちから、抽選により決定された１０遊技）」とを含む。つまり、「所定遊技数」は、予め定められている固定値の遊技数であっても、複数の選択肢の中から抽選を行うことで決定される遊技数であってもよい。また、「所定遊技数」は、予め定められた遊技数を実行している途中で、条件の成立により遊技数が加算されるものであってもよい。
【００１６】
この構成では、第２状態は、ボーナス内部中状態であって、第２条件は、第１条件の成立から所定遊技数が経過することとされている。また、判定手段290は、第１状態及び第３状態において所定遊技数の計数を進行し、ボーナス内部中状態において所定遊技数の計数を停止することとされている。つまり、この構成では、ボーナス図柄61を揃えることでボーナス状態へ移行するボーナス内部中状態に滞在中の場合に、判定手段290は所定遊技数の計数を停止するものである。そのため、この構成によれば、ボーナス内部中状態に滞在中の場合、所定遊技数の計数が停止されるため、ボーナス図柄61を容易に揃えることのできない初心者が遊技する場合であっても、上級者との間の遊技の技量による獲得利益の差を埋めることができる。
【００１７】
また、この構成では、回転リール62に注視することで遊技者の液晶画面等の表示部84への関心が薄れがちなボーナス内部中状態に滞在中の場合、所定遊技数の計数が停止されるため、所定遊技数の経過を条件とする特定演出が実行されることがない。そのため、この構成によれば、ボーナス内部中状態における特定演出の実行を回避でき、遊技者が回転リール62に注視することの少ない状態にて特定演出を効果的に実行することができる。
【００１８】
また、本発明に係る遊技機10の具体例としては、さらに、前記第３状態は、前記ボーナス状態であって、種々の情報を外部に向かって表示する表示部84と、前記第１状態における前記役抽選手段210による役抽選にて、前記ボーナス移行役に当選したことに基づいて、前記ボーナス内部中状態に滞在中である旨を前記表示部84に表示させる報知手段510と、を備えたことを特徴とする。
【００１９】
ここで、「ボーナス内部中状態に滞在中である旨を表示部84に表示させる」とは、ボーナス内部中状態に滞在中である旨を文字や記号で直接的に表示部84に表示させることも含まれるが、継続演出の一部として間接的に表示部84に表示させることが望ましい。たとえば、間接的に表示部84に表示させることとして、キャラクターＡとキャラクターＢとがステージＸで対戦するバトル演出が継続演出として第１状態において表示されている場合、第２状態では、これらのキャラクターの髪形が変化する、これらのキャラクターが保有する武器が変化する、対戦しているステージの背景色が変化する（青色→赤色）など、第１状態において表示されていたキャラクターやステージの表示態様を一部変更したバトル演出を表示させることが望ましい。
【００２０】
この構成では、第３状態は、ボーナス状態であり、第１状態における役抽選にて、ボーナス移行役に当選したことに基づいて、報知手段510によりボーナス内部中状態に滞在中である旨が表示部84に表示されることとされている。そのため、この構成によれば、遊技者にボーナス内部中状態に滞在中であることを認識させることができ、継続演出中における遊技数が不定な期間をなくすことができる。したがって、この構成によれば、遊技者にボーナス内部中状態に滞在中であることを認識させることにより、特定演出の実行契機を予測させることができ、特定演出への期待感を高揚させることで遊技の興趣を高めることができる。
【００２１】
また、本発明に係る遊技機10の具体例としては、さらに、前記役抽選手段210は、複数段階の設定値毎に予め定められた抽選確率で役に当選するか否かの役抽選を行い、前記ボーナス状態は、前記設定値によって前記ボーナス移行役に当選する確率が変動する第１ボーナス状態と、前記設定値によって前記ボーナス移行役に当選する確率が変動しない第２ボーナス状態とが設けられ、前記判定手段290は、前記第１ボーナス状態に滞在中の場合、前記所定遊技数の計数を停止し、前記継続演出制御手段280は、前記第２ボーナス状態に滞在中に前記判定手段290により前記所定遊技数を経過したと判定されたことに基づいて実行される前記特定演出を、前記第１状態に滞在中に前記判定手段290により前記所定遊技数を経過したと判定されたことに基づいて実行される前記特定演出に比べて、遊技者にとって有利な内容とし、前記報知手段510は、前記第１状態における前記役抽選手段210による役抽選にて、前記第１ボーナス状態への移行に係るボーナス移行役に当選したことに基づいて、前記第１ボーナス状態への移行に係るボーナス移行役に当選した旨を前記表示部84に表示させ、前記第２ボーナス状態への移行に係るボーナス移行役に当選したことに基づいて、前記第２ボーナス状態への移行に係るボーナス移行役に当選した旨を前記表示部84に表示させることを特徴とする。
【００２２】
ここで、「第１ボーナス状態」とは、設定値によって当選確率が変動する第１ボーナス状態への移行に係るボーナス移行役に当選することで移行可能となるボーナス状態を意味する。また、「第２ボーナス状態」とは、設定値によって当選確率が変動しない第２ボーナス状態への移行に係るボーナス移行役に当選することで移行可能となるボーナス状態を意味する。
【００２３】
この構成では、ボーナス状態は、設定値によってボーナス移行役に当選する確率が変動する第１ボーナス状態と、設定値によってボーナス移行役に当選する確率が変動しない第２ボーナス状態とを備えている。また、この構成では、第１ボーナス状態に滞在中の場合、判定手段290による所定遊技数の計数が停止されるため、所定遊技数の経過を条件とする特定演出が実行されることがない。これに対し、この構成では、第２ボーナス状態に滞在中の場合、判定手段290による所定遊技数の計数が進行されるため、所定遊技数の経過を条件とする特定演出が実行されることがある。さらに、この構成では、継続演出制御手段280により、第２ボーナス状態に滞在中に判定手段290により所定遊技数を経過したと判定されたことに基づいて実行される特定演出が、第１状態に滞在中に判定手段290により所定遊技数を経過したと判定されたことに基づいて実行される特定演出に比べて、遊技者にとって有利な内容とされている。そして、この構成では、第１ボーナス状態への移行に係るボーナス移行役に当選したことに基づいて、報知手段510により第１ボーナス状態への移行に係るボーナス移行役に当選した旨が表示部84に表示され、第２ボーナス状態への移行に係るボーナス移行役に当選したことに基づいて、報知手段510により第２ボーナス状態への移行に係るボーナス移行役に当選した旨が表示部84に表示されることとされている。そのため、この構成によれば、第１状態からボーナス状態への移行が決定されたとしても、そのボーナス状態が第１ボーナス状態又は第２ボーナス状態の何れの状態であるかを認識するまで遊技者を焦らすことができ、遊技進行に一喜一憂させ、遊技の興趣を高めることができる。
【００２４】
また、本発明に係る遊技機10の具体例としては、さらに、前記複数の回転リール62の各々に対応して設けられ、前記複数の回転リール62の図柄61の変動表示の開始後、遊技者の操作により前記複数の回転リール62の図柄61の変動表示を個別に停止させるための複数のストップスイッチ50を備え、前記役として、当該役に係る図柄61の組合せが有効なライン上に揃った場合に配当の払い出しがある複数の小役が設けられ、前記小役の前記ストップスイッチ50の停止操作順序に係る停止操作情報の表示が許容される許容区間と、前記小役の前記停止操作情報の表示が許容されない非許容区間とを備え、前記第１状態は、前記許容区間に属するとともに、前記第１状態の遊技数の上限が設定され、前記上限に到達したことに基づいて終了するよう設定されており、前記第１状態の遊技数を計数し、前記第１状態の遊技数が前記上限に到達したか否かを判定する第１状態判定手段を備え、前記第１状態判定手段は、前記第１状態において前記第１状態の遊技数の計数を進行し、前記ボーナス内部中状態及び前記ボーナス状態において前記第１状態の遊技数の計数を停止することを特徴とする。
【００２５】
この構成では、第１状態の遊技数の上限に達する前に特定演出が実行されたことにより、予め設定された第１状態の延長を許可する条件が成立した場合には、残りの第１状態の遊技数を消化することなく、新たな第１状態が付与されることとしてもよい。これにより、この構成では、第１状態の延長を許可する条件が成立した後に残りの第１状態の遊技数を消化させる場合に比べて、多くの第１状態で遊技をさせることができ、遊技の興趣を高めることができる。
【００２６】
また、この構成では、判定手段290は、第１状態の遊技数の上限に達した後においても、所定遊技数の計数を進行してもよい。そして、継続演出制御手段280は、第１状態の遊技数の上限に達した後、すなわち、第１状態が終了した後に判定手段290により第２条件が成立したと判定されたことに基づいて特定演出を実行してもよい。これにより、この構成では、第１状態が終了した後に特定演出が実行されたことにより、予め設定された第１状態の延長を許可する条件が成立した場合には、第１状態へと復帰させることができ、遊技の興趣を高めることができる。
【００２７】
また、この構成では、第１状態判定手段は、第１状態において第１状態の遊技数の計数を進行し、ボーナス内部中状態及びボーナス状態において第１状態の遊技数の計数を停止することとされている。そのため、この構成によれば、第１状態判定手段により、ボーナス内部中状態及びボーナス状態において第１状態の遊技数の計数が停止されるため、第１状態からボーナス内部中状態又はボーナス状態へ移行したとしても、第１状態の進行に関して遊技者の不利になることがない。また、この構成によれば、第１状態からボーナス状態のうち、第２ボーナス状態へ移行した場合には、第１状態の遊技数の計数を停止しつつ、所定遊技数の計数が進行されることとなり、第２ボーナス状態へ移行することが第１状態に滞在している場合に比べて、遊技者にとって有利なものとすることができる。
【図面の簡単な説明】
【００２８】
【図１】本実施の形態における遊技機の概略正面図である。
【図２】本実施の形態における図柄の配列を説明するための説明図（Ａ）及び有効ラインを説明するための説明図（Ｂ）である。
【図３】本実施の形態における遊技機の入力、制御及び出力を示すブロック図である。
【図４】図３のメイン制御手段の詳細を説明するための概略ブロック図である。
【図５】図３のサブ制御手段の詳細を説明するための概略ブロック図である。
【図６】本実施の形態における遊技状態の説明図である。
【図７】本実施の形態における許容区間の説明図である。
【図８】本実施の形態におけるボーナス移行役の構成を示す説明図である。
【図９】本実施の形態におけるリプレイ役の構成を示す説明図である。
【図１０】本実施の形態における小役の構成を示す説明図である。
【図１１】本実施の形態におけるボーナス移行役に係る当選役グループの説明図である。
【図１２】本実施の形態におけるリプレイ役、及び小役に係る当選役グループの説明図である。
【図１３】第１の実施形態におけるバトル演出の流れを説明する説明図である。
【図１４】第１の実施形態におけるバトル演出の流れを説明する説明図である。
【図１５】本実施の形態における遊技の流れを説明するためのフローチャートである。
【図１６】第１の実施形態におけるバトル演出の流れを説明するためのフローチャートである。
【図１７】第１の実施形態におけるバトル演出の流れを説明するためのフローチャートである。
【図１８】第１の実施形態におけるバトル演出の流れを説明するためのフローチャートである。
【図１９】第２の実施形態におけるバトル演出の流れを説明する説明図である。
【図２０】第２の実施形態におけるバトル演出の流れを説明する説明図である。
【発明を実施するための形態】
【００２９】
（第１の実施形態）
（遊技機10）
本明細書では、各説明箇所において、方向についての定義等が示されていない場合には、遊技機10の方を向いて位置している遊技者から見て、遊技機10から遊技者の手前側に向かう方向を「前」方向とし、その逆方向を「後」方向とする。また、同様に、「左」や「右」等の左右方向及び「上」や「下」等の上下方向も、遊技者から見た場合の左方向や右方向、又は上方向や下方向を意味する。同様に、各部材の説明においても、方向についての定義等が示されていない場合には、各部材を、遊技機10の所定位置に固定した場合における遊技者から見た方向を意味する。
第１の実施形態に係る遊技機10としてのスロットマシンを、以下、図１から図３を参照しながら説明する。
【００３０】
（筐体12、前扉14）
第１の実施形態に係る遊技機10としてのスロットマシンは、前方向に向かって開口する正面開口を有する四角箱状の筐体12と、この筐体12の正面開口を開閉自在に覆う前扉14とを備えている。
【００３１】
（回転リール62）
前扉14の上部には、薄板樹脂からなる上パネル20を備えている。この上パネル20の略中央には、３個の回転リール62（正面から向かって左側の左回転リール64、中央の中回転リール66、右側の右回転リール68）の円周上の図柄61を見ることができる透過可能な図柄表示窓部16が形成されている。この図柄表示窓部16は、３個全ての回転リール62の回転が停止した際には、縦３列横３行に配置した合計９個の図柄61を遊技者に見せるように形成されている。この図柄表示窓部16は、回転リール62の正面側に設けられて、回転リール62の回転が停止した際、後述する有効ライン86上に停止している複数の図柄61を視認するためのものである。回転リール62は、複数の図柄61を図柄表示窓部16を介して変動表示可能なものである。
【００３２】
（リールユニット60）
前記図柄表示窓部16の後方向（奥方向）には、３個のリール駆動モータ65と、この各リール駆動モータ65によってそれぞれ回転させられる合計３個の前記回転リール62と、前記リール駆動モータ65及び前記回転リール62を保持するユニットホルダ（図示せず）とを有するリールユニット60が配置されている。また、リールユニット60には、回転リール62の回転位置が基準となる位置（基準位置）であることを検出するためリール位置センサ63が設けられている。このリール駆動モータ65は、メイン制御手段200から出力されるリール駆動モータ65を駆動するための駆動信号に基づき駆動する。
【００３３】
（クレジット表示器87、払出枚数表示器88）
前記図柄表示窓部16の下方には、クレジットメダルの貯留枚数（以下、「クレジットメダル数」とする）を表示するクレジット表示器87と、このクレジット表示器87の左側に配置され、遊技機10から払い出されたメダルの総数を表示する払出枚数表示器88とが設けられている。これらの表示器は、たとえば２個の７セグメントＬＥＤで構成されており、クレジット表示器87は２桁のクレジットメダル数、払出枚数表示器88は２桁の払出枚数が表示可能になっている。
【００３４】
ここで、第１の実施形態に係る遊技機10は、後述するメダル投入口38に投入したメダルを最大５０枚までクレジットメダルとして内部に貯留可能なクレジット機能（投入枚数を電子データとして電子的に記憶し管理する機能）を有している。そして、このクレジットメダルとして貯留可能な最大枚数である５０枚を「最大クレジットメダル数」とする。
【００３５】
（区間報知ランプ90）
前扉14のうち、クレジット表示器87と払出枚数表示器88との間には、現在の状態が「許容区間」であることを発光態様により報知する区間報知ランプ90が設けられている。
【００３６】
ここで、「許容区間」とは、後述する小役の後述するストップスイッチ50の押し順に係る押し順ナビの表示が許容される区間を意味する。すなわち、「許容区間」とは、後述するＡＴ遊技を行うことが許容される区間である。なお、第１の実施形態における「押し順」は、本発明における「停止操作順序」に相当し、「押し順ナビ」は「停止操作情報」に相当する。
【００３７】
この区間報知ランプ90は、後述する「非許容区間」から「許容区間」に移行したことを契機に後述するメイン制御手段200により点灯され、「許容区間」である間は常時点灯されている。そして、区間報知ランプ90は、「許容区間」から「非許容区間」に移行したことを契機にメイン制御手段200により消灯される。
【００３８】
（操作部30）
前記前扉14の下部には下パネル22が設けられている。そして、前扉14には下パネル22の上に位置して前扉14の前方向へ向けて突出する操作部30を備えている。この操作部30は、メダル投入口38と、精算スイッチ36と、ストップスイッチ50と、スタートスイッチ40と、ベットスイッチ32と、演出用ボタンスイッチ42と、を備えている。
【００３９】
（メダル投入口38）
操作部30の右側部分には、遊技機10の内部へ遊技媒体としてのメダルを投入するためのメダル投入口38が設けられている。
【００４０】
（メダルセレクタ17）
前扉14の裏側であって、前記メダル投入口38の近傍には、メダル投入口38に投入されたメダルが正規のものか否かを選別して、正規のメダルのみをホッパーユニット24に導くメダルセレクタ17が設けられている。このメダルセレクタ17には、メダル投入口38に投入されたメダルを１枚ずつ検知する投入センサ92が設けられている。
【００４１】
なお、前扉14の裏側には図示しないメダル通路が設けられており、メダルセレクタ17において非正規のメダルとして排除されたメダルや、ホッパーユニット24から払い出されたメダルが、このメダル通路を通過してメダル払出口28から払い出される。
【００４２】
（精算スイッチ36）
メダル投入口38の下方には、クレジット機能によりクレジットしたメダルの全てを払い出すための精算スイッチ36が設けられている。
【００４３】
（ストップスイッチ50）
前記操作部30の中央には、操作により対応する回転リール62の回転を停止させるため、３個の回転リール62のそれぞれに対応する３個のストップスイッチ50が設けられている。このストップスイッチ50は、左回転リール64を停止させるための左ストップスイッチＬと、中回転リール66を停止させるための中ストップスイッチＣと、右回転リール68を停止させるための右ストップスイッチＲとを有している。すなわち、これらのストップスイッチ50は、複数の回転リール62それぞれに対応して設けられ、複数の回転リール62の図柄61の変動表示の開始後、遊技者の操作により回転リール62の図柄61の変動表示を個別に停止させるためのものである。
【００４４】
（スタートスイッチ40）
このストップスイッチ50の左側には、メダルの投入又は後述するベットスイッチ32の操作を条件に回転リール62の回転を開始させるためのスタートスイッチ40が設けられている。すなわち、このスタートスイッチ40は、遊技者の操作により回転リール62の図柄61の変動表示を開始させるためのものである。
【００４５】
（ベットスイッチ32）
このスタートスイッチ40の上方には、ベットスイッチ32として、クレジットしたメダル数から最大投入枚数（具体的には３枚）に達するまで投入可能なメダル数を減じて３枚のメダル投入に代えるマックスベットスイッチ34と、クレジットしたメダル数から１枚のメダル数を減じて１枚のメダル投入に代えるシングルベットスイッチ35とが設けられている。
【００４６】
（演出用ボタンスイッチ42）
マックスベットスイッチ34の右側には、所定の演出において遊技者が操作可能な演出用ボタンスイッチ42が設けられている。
また、前記前扉14の裏側には、扉開閉用スイッチ19、設定変更スイッチ46、設定表示器89などが配置されている（図３参照）。
【００４７】
（扉開閉用スイッチ19）
扉開閉用スイッチ19は前扉14が閉じているか否かを検知するためのものである。この扉開閉用スイッチ19は、前扉14が閉塞している場合に、前扉14の背面と扉開閉用スイッチ19の前面とが押圧されることでオンとなり、前扉14が開放するに従って、前扉14の背面が扉開閉用スイッチ19の前面から離間して押圧が解除されることでオフとなる。
【００４８】
（設定変更スイッチ46）
設定変更スイッチ46は、後述する電源ユニット43の設定キースイッチ45と共に設定変更を行うためのものである。
【００４９】
（設定表示器89）
設定表示器89は、例えば７セグメントの小型のＬＥＤにより、複数段階設けられた設定値を表示するものである。設定表示器89には、当該遊技機10の設定値が表示されるが、外部から視認できないようにすべく、設定後一定時間が経過するとその表示は解除される。
【００５０】
また、前記前扉14の下部に相当する筐体12の内部には、メダルを貯留することができるとともに、メダルを払い出すことができるホッパーユニット24と、電源投入又は電源遮断のための操作が可能な電源スイッチ44を有すると共に各部品に電力を供給するための電源ユニット43とが配置されている（図３参照）。
【００５１】
（ホッパーユニット24）
このホッパーユニット24には、その駆動によりメダルをメダル払出口28に向けて払い出すホッパーモータ95と、ホッパーユニット24の出口に設けられ、メダル払出口28に払い出されたメダルを１枚ずつ検出する払出センサ94と、ホッパーユニット24のメダルタンクから溢れたメダルを収納するための補助タンクの近傍に設けられ、補助タンク内のメダルが満杯になったことを検出してメイン制御手段200へ信号を出力するオーバーフローセンサ96とが設けられている。
【００５２】
（電源ユニット43）
この電源ユニット43には、電源投入又は電源遮断のための操作が可能な電源スイッチ44と、設定変更処理のための設定キースイッチ45とが設けられている。
【００５３】
（メダル払出口28等）
前記前扉14の下部には、所定の場合にホッパーユニット24からメダルが払い出されるメダル払出口28が形成されている。このメダル払出口28の下方には、メダル払出口28から払い出されたメダルを貯留するため、上方に向かって開口する皿状のメダル受け皿26が形成されている。なお、クレジットされているメダル数が最大クレジットメダル数である５０枚未満の場合は、５０枚に到達するまで、獲得したメダルはメダル払出口28から払い出されずにクレジットメダルの枚数に加算される。
【００５４】
（遊技の流れの説明）
第１の実施形態に係る遊技機10は、マックスベットスイッチ34やシングルベットスイッチ35等の操作又はメダル投入により所定枚数のメダルを投入することにより遊技の開始を可能とするものである。そして、スタートスイッチ40の押下操作により、回転リール62の回転を開始させて遊技が開始されるとともに、複数の役の少なくともいずれか１つに当選か又はハズレかの役抽選が行われる。そして、当該遊技機10は、各回転リール62に対応するストップスイッチ50の操作タイミング及び役抽選の結果に基づいて、回転リール62の回転を役抽選の結果に適合するように停止させる。当該遊技機10は、停止時の図柄61の組合せによって、当選した役を構成する図柄61の組合せが所定の有効なライン（所定の役の図柄61の組合せが当該ライン上に揃ったときに所定の配当としてのメダルが付与されるラインのことであり、以下、有効ライン86とする。）上に停止した場合に、入賞等となり、所定枚数のメダルを払い出す等の所定の配当を遊技者に付与する（図２（Ｂ）参照）。これにより、１回の遊技が終了するものである。ここで、第１の実施形態における「有効ライン86」は、本発明における「有効なライン」に相当する。
【００５５】
（演出装置70）
前記前扉14には、遊技者に役抽選の当選等の種々の情報を音や光や映像等で報知させるための演出装置70が形成されている。この演出装置70は、スピーカー72と、演出用ランプ78と、表示部84と、バックランプ67と、を備えている。
【００５６】
（スピーカー72）
前記スピーカー72は、前扉14の上部左右に配置された上部スピーカー74と、前扉14の下部左右に配置された下部スピーカー76とを備えている。
【００５７】
（演出用ランプ78）
前記演出用ランプ78は、前扉14の上部に配置された上部ランプ80と、前扉14の下部の左右に配置された下部ランプ82とを備えている。
【００５８】
（表示部84）
前記表示部84は、その画面に種々の映像を表示するための液晶表示装置である。
【００５９】
（バックランプ67）
前記バックランプ67は、リールユニット60に設けられており、回転リール62上の図柄61を照らすためのものである。
【００６０】
（図柄61）
図２（Ａ）に示すように、左回転リール64、中回転リール66及び右回転リール68の表面には、赤７図柄（Ｒ７）、青７図柄（Ｂ７）、白７図柄（Ｗ７）、ＢＡＲ図柄（ＢＡＲ）、リプレイ図柄(ＲＰ）、ベル１図柄（ＢＥ１）、ベル２図柄（ＢＥ２）、スイカ１図柄（ＷＭ１）、スイカ２図柄（ＷＭ２）、チェリー図柄（ＣＨ）の複数の種々の図柄61が形成されている。
そして、これらの図柄61の所定の組合せが複数種類の役に対応して設けられている。
【００６１】
これらの図柄61は、それぞれの絵柄がプリントされたテープを回転リール62の外周表面に貼付することで形成されている。なお、図２（Ａ）の図柄61の図柄番号（コマ番号）は、回転リール62の外周表面に物理的に付されているものではなく、仮想的な番号であって、各図柄61の停止を制御するためのプログラムで特定の図柄61を指定するためのものである。
【００６２】
（制御装置100）
図３に示すように、遊技機10の内部には、遊技機10の全体の動作を制御するための制御装置100が形成されている。この制御装置100は、遊技を進行させて遊技を制御するメイン制御手段200と、このメイン制御手段200からの情報（コマンド）を受けて、遊技の進行に応じた演出を制御し、主に遊技内容に関する情報を遊技者に報知する演出を行うサブ制御手段500とを備えている。ここで、メイン制御手段200がサブ制御手段500へ送信する情報（コマンド）としては、たとえば、以下のものがある。
【００６３】
メイン制御手段200は、少なくとも、「押し順」、「遊技者が停止操作したストップスイッチ50」、「後述する攻撃演出の種類（通常攻撃演出又は特殊攻撃演出）」、「遊技状態」、「演出状態」、「後述する特殊攻撃ゲーム数」及び「後述するＡＴゲーム数」に関する情報（コマンド）を適宜、サブ制御手段500へ送信している。なお、メイン制御手段200がサブ制御手段500へ送信する情報（コマンド）は、上述のものに限らず、他の情報（コマンド）を送信してもよい。
【００６４】
なお、メイン制御手段200とサブ制御手段500との間は、メイン制御手段200への不正操作を防止するために、メイン制御手段200からサブ制御手段500への一方向の通信により行われ、サブ制御手段500からメイン制御手段200への逆方向の通信は行われていない（すなわち双方向の通信ではない）。メイン制御手段200は、メダルセレクタ17、スタートスイッチ40、ベットスイッチ32、ストップスイッチ50、設定変更スイッチ46、精算スイッチ36、扉開閉用スイッチ19、電源ユニット43、リールユニット60及びホッパーユニット24の入力を受け付け、クレジット表示器87、払出枚数表示器88、リールユニット60、ホッパーユニット24、設定表示器89及び区間報知ランプ90の作動を制御する。サブ制御手段500は、メイン制御手段200及び演出用ボタンスイッチ42からの信号を入力し、演出用ランプ78等の演出装置70の作動を制御する。サブ制御手段500には、演出装置70としての演出用ランプ78、スピーカー72、表示部84及びバックランプ67の各パーツが接続されている。
【００６５】
なお、特に図示していないが、メイン制御手段200を有するメイン基板と、サブ制御手段500を有するサブ基板とは、それぞれ専用の基板ケースの内部に収納されている。具体的には、メイン制御手段200は、メイン基板ケースの内部に収納され、サブ制御手段500は、サブ基板ケースの内部に収納されている。そして、メイン基板ケースは、筐体12内部の奥側の上部に固定され、サブ基板ケースは、筐体12内部の正面から向かって左側に固定されている。
【００６６】
メイン制御手段200及びサブ制御手段500は、ＣＰＵ、ＲＯＭ、ＲＡＭ、Ｉ／Ｏポート（図示せず）を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、例えば遊技機10の状態を記憶するための記憶領域や、役抽選の抽選結果を記憶するための記憶領域として使用される。
【００６７】
（外部集中端子板18）
また、筐体12内部の正面から向かって右側には、外部集中端子板18が設けられている。
外部集中端子板18は、遊技データを遊技機10外部に出力させるものであり、メイン制御手段200と配線される接続端子（コネクタ）や、外部機器（図示省略）と配線される接続端子（コネクタ）が設けられた端子板である。また、外部集中端子板18は、図示しないが、遊技島設備（例えばデータ表示器）やホールコンピュータに接続されている。
【００６８】
（メイン制御手段200）
メイン制御手段200は、図４に示すように、役抽選手段210、リール制御手段220、停止図柄判定手段230、配当付与手段240、遊技状態制御手段250、演出状態制御手段260、移行抽選手段270、バトル演出制御手段280、判定手段290及び許容区間ゲーム数カウント手段300の各手段を有する。各手段の詳細については後述する。
以上の構成をもって、メイン制御手段200は、役の抽選を行い、回転リール62の回転及び停止を制御し、回転リール62がすべて停止したときに停止図柄61の判定を行い、遊技の進行を行う手段として機能することとなる。
【００６９】
メイン制御手段200は、遊技を制御するためのものであって、遊技を進行させるためのものである。以下、第１の実施形態における遊技について説明する。
規定の賭け数（３枚）が設定されると、１本の有効ライン86（図２（Ｂ）参照）が設定される。なお、第１の実施形態に係る遊技機10は、規定の賭け数として３が設定されている。賭け数を設定する方法には、メダル投入口38からメダルを投入する方法と、ベットスイッチ32を操作することによってクレジットメダルを賭け数として設定する方法とがある。そして、規定の賭け数（３枚）が設定されていることを条件に、スタートスイッチ40を操作すると、賭け数が確定し、役抽選手段210により、複数の役のいずれかに当選したか又はハズレかの抽選（役抽選）が行われる。また、役抽選とほぼ同時に、前回の遊技での回転リール62の回転開始時から所定の時間（第１の実施形態では、４．１秒）が経過しているか否かが判定され、所定の時間が経過すると、３個すべての回転リール62の回転が開始する。
【００７０】
回転リール62の回転開始後、所定の条件（第１の実施形態では、回転リール62を加速する処理を実行した後、所定のセンサにより回転リール62の回転位置が基準位置であることを検出すること）が成立すると、ストップスイッチ50の操作が可能な状態（停止操作可能状態）となる。
その後に、３個のストップスイッチ50のうち１個を操作すると、当該ストップスイッチ50に対応した回転リール62の回転が停止する。そして、３個すべてのストップスイッチ50の操作を終えると、３個すべての回転リール62の回転が停止する。
【００７１】
このとき、有効ライン86上に所定の図柄61の組合せが揃うと、当該図柄61の組合せに対応した処理が行われる。第１の実施形態に係る遊技機10は、有効ライン86上に予め定められた図柄61の組合せが揃うと遊技者に配当としてのメダルが付与されるように形成されている。例えば小役に対応した図柄61の組合せが有効ライン86上に揃うと、小役に対応した枚数のメダルが遊技者に対して付与される。
【００７２】
また、有効ライン86上に再遊技役（リプレイ役）に対応する図柄61の組合せが揃うと、メダルの払い出しはないものの、次回の遊技において遊技者所有のメダルを使用することなく賭け数が自動的に設定され遊技を行うことができる。
【００７３】
（役抽選手段210）
役抽選手段210は、当選役を決定する役抽選を実行するものである。すなわち、役抽選手段210は、スタートスイッチ40の操作を契機に、複数の役のいずれかに当選か又はハズレかの役抽選を行うためのものである。役抽選手段210は、役に当選したか否かを決定するための役抽選テーブルを、主な分類としてノーマル状態（ＲＴ０及びＲＴ１）用、ＲＴ状態（ＲＴ２及びＲＴ３）用、ボーナス内部中状態（ＲＴ４）用、ボーナス状態（ＢＢ及びＲＢ）用のそれぞれに対応して複数備えており、メイン制御手段200のＲＯＭ上に記憶されている。役抽選手段210は、予め定めた抽選データと、所定範囲の整数値を繰り返してカウントするループカウンタを有する所定の乱数発生手段（乱数発生回路）が発生した乱数のうちから抽出した乱数とを比較して、当選か否かを判定する。
【００７４】
役抽選手段210の役抽選に用いる当選確率は、図示しない役抽選テーブルにより、予めプログラムされた範囲内で遊技ホールの管理者により変更可能に形成されている。具体的には、その当選確率を規定するための値である複数段階の設定値を変更するための筐体12内部の設定変更スイッチ46を操作することにより、複数段階の設定値のうちいずれか１つの特定の設定値が選択される。そして、役抽選手段210は、選択された設定値毎に予め定められた抽選確率で役抽選を行っている。
【００７５】
第１の実施形態では、後述する移行抽選手段270による許容区間移行抽選は、全ての設定値において当選確率が同一となる所定の移行契機役（たとえば、レア役や押し順ベル）の当選時に行われ、当該許容区間移行抽選の当選確率も設定差がないように設定されている。
【００７６】
また、第１の実施形態では、役抽選に用いられる当選確率が設定値によって異なる「設定差あり」の役では、原則として設定値の数値が高くなるほど当選確率が高く、遊技者にとって有利になるように設定されている。第１の実施形態では、「設定差あり」の役として「ボーナス移行役」が設けられている。この詳細については後述する。
【００７７】
なお、「設定差あり」の役では、設定値の数値が高くなるほど、全ての役の当選確率が必ずしも高くなることに限らず、設定値の数値が高くなるほど、一部の役の当選確率は高くなるが、他の一部の役の当選確率は同一であってもよい。
また、第１の実施形態における設定値は、設定値「１」から「６」の６段階に設定されている。なお、設定値は複数段階であれば、設定値「１」から「６」の６段階に限られず、たとえば「１・３・６」、「２・４・６」又は「１・６」としてもよい。
【００７８】
第１の実施形態では、役抽選手段210により抽選される役として、図８から図１０に示すように、大別すると、小役（メダルの払い出しを伴う役）、再遊技役（遊技者所有のメダルを使用することなく次回の遊技を開始可能とする役、いわゆるリプレイ役）、ボーナス移行役（遊技状態の移行を伴う役）が設けられている。
【００７９】
（リール制御手段220）
リール制御手段220は、各回転リール62の回転を停止させるためのものである。リール制御手段220は、役抽選手段210の役抽選結果と、各ストップスイッチ50が操作されたときの対応する回転リール62の回転位置とに基づいて、各回転リール62の回転を停止させる。なお、リール制御手段220は、必要に応じて各ストップスイッチ50の押し順が所定の条件に適合しているか否かも停止させる条件にする場合がある。
【００８０】
（停止図柄判定手段230）
停止図柄判定手段230は、すべての回転リール62が停止した際における有効ライン86上の図柄61の組合せを記憶するとともに入賞等の判定をするためのものである。
【００８１】
（配当付与手段240）
配当付与手段240は、停止図柄判定手段230の判定結果に基づいて、メダル払い出し等の所定の配当の付与を行うものである。配当付与手段240は、停止図柄判定手段230の判定の結果、小役が入賞していると判定されると配当としてのメダルの払い出しを行う。
【００８２】
（遊技状態制御手段250）
遊技状態制御手段250は、遊技状態を制御するものである。
具体的には、遊技状態制御手段250は、図４に示すように、ノーマル状態制御手段251、ＲＴ状態制御手段252、ボーナス内部中状態制御手段253及びボーナス状態制御手段254の各手段を有する。
【００８３】
（ノーマル状態制御手段251）
ノーマル状態制御手段251は、「ノーマル状態」を制御するものである。ここで、「ノーマル状態」は、後述するＲＴ状態制御手段252による「ＲＴ状態」（リプレイタイム状態）、ボーナス内部中状態制御手段253によるボーナス内部中状態又はボーナス状態制御手段254によるボーナス状態以外の状態をいい、「ＲＴ０」及び「ＲＴ１」を含む（図６参照）。
【００８４】
（ＲＴ状態制御手段252）
ＲＴ状態制御手段252は、「ＲＴ状態」を制御するものである。ここで、「ＲＴ状態」は、「ＲＴ２」及び「ＲＴ３」を含む（図６参照）。
また、「ＲＴ」は、「リプレイタイム」の略語であり、「ＲＴ状態」に移行すると、再遊技役（リプレイ役）に当選する抽選確率、すなわち再遊技確率が原則として高くなるＲＴ遊技が開始される。
【００８５】
（ボーナス内部中状態制御手段253）
ボーナス内部中状態制御手段253は、ボーナス内部中状態を制御するものである。ここで、「ボーナス内部中状態」には、「ＲＴ４」がある（図６参照）。なお、第１の実施形態における「ボーナス内部中状態」は、本発明における「第２状態」に相当する。
【００８６】
「ボーナス内部中状態」は、役抽選手段210による役抽選にてボーナス状態への移行に係るボーナス移行役に当選し、当該ボーナス移行役に当選した状態が維持されている状態である。すなわち、「ボーナス内部中状態」は、役抽選にてボーナス移行役に当選し、当該ボーナス移行役に対応した図柄61を有効ライン86上に停止表示できなかった場合に移行する状態である。そして、ボーナス内部中状態において、ボーナス移行役に対応した図柄61を有効ライン86上に停止表示することで終了する（ボーナス状態へ移行する）。
【００８７】
（ボーナス状態制御手段254）
ボーナス状態制御手段254は、「ボーナス状態」を制御するものである。ここで、「ボーナス状態」は、「ビッグボーナスとしてのＢＢ１からＢＢ４」及び「レギュラーボーナスとしてのＲＢ１」を含む（図６参照）。なお、第１の実施形態における「ボーナス状態」は、本発明における「第３状態」に相当し、「ＢＢ１及びＢＢ２」は「第１ボーナス状態」に相当し、「ＢＢ３、ＢＢ４及びＲＢ１」は「第２ボーナス状態」に相当する。
【００８８】
ここで、第１の実施形態に係る「ＢＢ（ビッグボーナス）」には、設定値によって当選確率が異なる「設定差あり」のボーナス移行役（第１ボーナス役又は第２ボーナス役）に当選し、かつボーナス移行役に対応した図柄61を有効ライン86上に停止表示させることで移行する「ＢＢ１又はＢＢ２」と、設定値によって当選確率が異ならない全設定値共通の当選確率となる「設定差なし」のボーナス移行役（第３ボーナス役又は第４ボーナス役）に当選し、かつボーナス移行役に対応した図柄61を有効ライン86上に停止表示させることで移行する「ＢＢ３又はＢＢ４」とがある。
【００８９】
また、第１の実施形態に係る「ＲＢ１」は、「設定差なし」の第５ボーナス役に当選し、かつ第５ボーナス移行役に対応した図柄61を有効ライン86上に停止表示させることで移行するものである。そして、以下の説明では、「ＢＢ１」と「ＢＢ２」とをまとめて、「設定差のあるボーナス状態」と称し、「ＢＢ３」と「ＢＢ４」と「ＲＢ１」とをまとめて、「設定差のないボーナス状態」と称する。
【００９０】
「ＢＢ１からＢＢ４」は、「ボーナス内部中状態」において、ボーナス移行役に対応した図柄61を有効ライン86上に停止表示させることで移行する。また、「ＢＢ１からＢＢ４」は、「ノーマル状態」及び「ＲＴ状態」において、ボーナス移行役に当選し、かつボーナス移行役に対応した図柄61を有効ライン86上に停止表示させることで移行する。そして、「ＢＢ１からＢＢ４」は、レギュラーボーナス（ＲＢ）が連続作動し、ＢＢ１及びＢＢ２では４００枚、ＢＢ３及びＢＢ４では２００枚を超えるメダルの払い出しで終了する。
【００９１】
「ＲＢ１」は、「ボーナス内部中状態」において、ボーナス移行役に対応した図柄61を有効ライン86上に停止表示させることで移行する。また、「ＲＢ１」は、「ノーマル状態」及び「ＲＴ状態」において、ボーナス移行役に当選し、かつボーナス移行役に対応した図柄61を有効ライン86上に停止表示させることで移行する。そして、「ＲＢ１」は、規定回数（たとえば、５回）の入賞、又は規定回数（たとえば、１５ゲーム）の消化により終了する。
【００９２】
（演出状態制御手段260）
演出状態制御手段260は、演出状態を制御するためのものである。
具体的には、演出状態制御手段260は、図４に示すように、通常状態制御手段261、ＣＺ状態制御手段262及びＡＴ状態制御手段263を有する。
【００９３】
（通常状態制御手段261）
通常状態制御手段261は、非許容区間に属する「非許容区間通常状態」（非ＡＴ遊技）と、許容区間に属する「許容区間通常状態」とを制御するものである（図７参照）。
ここで、「非許容区間」とは、小役のストップスイッチ50の押し順に係る押し順ナビ報の表示が許容されない区間を意味する。すなわち、「非許容区間」とは、後述するＡＴ遊技を行うことが許容されない区間である。
【００９４】
また、「非ＡＴ遊技」は、「ＡＴ遊技」の非作動状態を意味する。「ＡＴ」は「アシストタイム」の略語であり、「ＡＴ遊技」が開始されると、当選した小役の押し順ナビが表示され、表示された押し順ナビに従ってストップスイッチ50を操作することで、当選した小役の図柄61の組合せを停止表示させることができる。このため、成立した小役に対応する所定枚数のメダルが払出される。また、「ＡＴ遊技」は、後述するＡＴ状態制御手段263で制御され、このとき、ＲＴ状態制御手段252で制御される「ＲＴ状態（ＲＴ３）」に移行すると、「ＡＲＴ状態」となる。「ＡＲＴ状態」は、「ＲＴ遊技」かつ「ＡＴ遊技」の「ＡＲＴ遊技」が行われる。ここで、第１の実施形態における「ＡＲＴ状態」は、本発明における「第１状態」に相当する。
【００９５】
（ＣＺ状態制御手段262）
ＣＺ状態制御手段262は、許容区間に属する「ＣＺ（チャンスゾーン）状態」を制御するものである（図７参照）。
【００９６】
（ＡＴ状態制御手段263）
ＡＴ状態制御手段263は、許容区間に属する「ＡＲＴ準備中状態」及び「ＡＲＴ状態」（ＡＴ遊技）を制御するものである（図７参照）。
【００９７】
このＡＴ状態制御手段263は、ＡＴゲーム数決定手段264と、ＡＴゲーム数カウント手段265と、ＡＴゲーム数上限判定手段266とを備えている。ここで、第１の実施形態における「ＡＴゲーム数カウント手段265及びＡＴゲーム数上限判定手段266」は、本発明における「第１状態判定手段」に相当する。
【００９８】
（ＡＴゲーム数決定手段264）
ＡＴゲーム数決定手段264は、ＡＲＴ状態のゲーム数、具体的には、ＡＴゲーム数を決定するものである。ここで、ＡＴゲーム数決定手段264は、ＡＴゲーム数を予め「５０ゲーム」に決定している。なお、ＡＴゲーム数決定手段264が決定するＡＴゲーム数は、「５０ゲーム」に限らず、これより多くても少なくてもよいし、ＡＴゲーム数を決定するＡＴゲーム数抽選を行うことによりＡＴゲーム数を決定してもよい。また、ＡＴゲーム数決定手段264が決定するＡＴゲーム数は、その初期値にて固定されるものに限らず、たとえば、ゲーム数の上乗せにより、その上限が変動するものでもよい。
【００９９】
（ＡＴゲーム数カウント手段265）
ＡＴゲーム数カウント手段265は、ＡＴゲーム数決定手段264により決定されたＡＴゲーム数をカウントするものである。
このＡＴゲーム数カウント手段265は、ＡＲＴ状態に移行したことに基づいて、ＡＴゲーム数決定手段264により決定されたＡＴゲーム数「５０」を設定する。そして、ＡＴゲーム数カウント手段265は、ＡＲＴ状態においてＡＴゲーム数のカウントを進行し、ボーナス内部中状態及びボーナス状態においてＡＴゲーム数のカウントを停止している。
【０１００】
具体的には、ＡＴゲーム数カウント手段265は、ＡＲＴ状態に滞在中は、１ゲームを消化する毎にＡＴゲーム数を「１」減算していき、ボーナス内部中状態又はボーナス状態に滞在中は、ＡＴゲーム数の減算を停止する。
【０１０１】
（ＡＴゲーム数上限判定手段266）
ＡＴゲーム数上限判定手段266は、ＡＴゲーム数がその上限に到達したか否かを判定するものである。第１の実施形態では、ＡＴゲーム数の上限をＡＴゲーム数決定手段264により決定された「５０ゲーム」としている。そして、ＡＴゲーム数上限判定手段266により、ＡＴゲーム数の上限である「５０ゲーム」に到達したと判定された場合には、ＡＴ状態制御手段263によりＡＴ遊技が終了される。
【０１０２】
（移行抽選手段270）
移行抽選手段270は、各状態へ移行するか否かを決定する抽選を行うものである。この移行抽選手段270は、非許容区間において許容区間、具体的には、非許容区間通常状態から許容区間通常状態へ移行するか否かの許容区間移行抽選と、許容区間通常状態からＣＺ状態へ移行するか否かのＣＺ移行抽選と、ＣＺ状態においてＡＲＴ状態、具体的には、ＡＲＴ準備中状態へ移行するか否かのＡＴ抽選とを行う。なお、移行抽選手段270が行う抽選は前述のものには限られない。
【０１０３】
移行抽選手段270が行う許容区間移行抽選は、役抽選手段210が行う役抽選の当選役に基づいて行われる。第１の実施形態では、許容区間移行抽選は、役抽選手段210が行う役抽選にて所定のレア役としてのスイカ役に当選したことに基づいて行われる。なお、許容区間移行抽選の抽選契機となる役抽選の当選役は、スイカ役に限らず、他の役でもよい。
【０１０４】
また、移行抽選手段270が行うＣＺ移行抽選は、許容区間通常状態の各ゲームにて行われる。なお、ＣＺ移行抽選は、許容区間通常状態の各ゲームで行うことに限らず、役抽選手段210が行う役抽選にて所定のレア役に当選したことに基づいて行うこととしてもよい。
【０１０５】
また、移行抽選手段270が行うＡＴ抽選は、役抽選手段210が行う役抽選の当選役に基づいて行われる。第１の実施形態では、ＡＴ抽選は、役抽選手段210が行う役抽選にて所定のレア役としてのチェリー役に当選したことに基づいて行われる。なお、ＡＴ抽選の抽選契機となる役抽選の当選役は、チェリー役に限らず、他の役でもよい。
【０１０６】
（バトル演出制御手段280）
バトル演出制御手段280は、ＡＲＴ状態において開始され、ＡＲＴ状態からボーナス内部中状態又はボーナス状態へ移行した後においても継続して実行されるバトル演出を制御するものである。また、バトル演出制御手段280は、バトル演出が実行されているＡＲＴ状態において役抽選手段210による役抽選にて所定のレア役としてのチャンス役に当選し、かつ、このチャンス役の当選から後述する特殊攻撃ゲーム数が経過した後に実行されるバトル演出の一態様である特殊攻撃演出を制御するものである。すなわち、特殊攻撃演出は、バトル演出が実行されている中で実行される演出である。なお、特殊攻撃演出の実行契機となる役抽選の当選役は、チャンス役に限らず、他の役でもよい。
【０１０７】
ここで、以下の説明において、単に「バトル演出」と表現する場合には、「特殊攻撃演出」及び「バトル演出で実行される特殊攻撃演出以外の演出」を含む概念であり、単に「特殊攻撃演出」と表現する場合には、「バトル演出で実行される特殊攻撃演出以外の演出」は含まない概念である。
【０１０８】
また、第１の実施形態における「バトル演出制御手段280」は、本発明における「継続演出制御手段」に相当し、「バトル演出」は「継続演出」に相当し、「特殊攻撃ゲーム数」は「所定遊技数」に相当し、「特殊攻撃演出」は「特定演出」に相当する。また、第１の実施形態における「役抽選にてレア役に当選すること」は、本発明における「第１条件」に相当し、「役抽選にてレア役に当選後、特殊攻撃ゲーム数が経過すること」は「第２条件」に相当する。
【０１０９】
バトル演出制御手段280は、ＡＲＴ状態に移行したことに基づいて、バトル演出を開始する。すなわち、バトル演出は、ＡＲＴ状態の開始と同時に開始される。なお、バトル演出制御手段280は、ＡＲＴ状態の開始と同時にバトル演出を開始することに限らず、ＡＲＴ状態に滞在中にバトル演出を実行するか否かのバトル実行抽選を行い、当該バトル実行抽選に当選したことに基づいて開始してもよい。
【０１１０】
ここで、第１の実施形態におけるバトル演出は、自己のキャラクターが対戦相手であるモンスター（以下、「敵モンスター」とする）を討伐できるか否かの討伐バトルが行われることとされている。このとき、バトル演出の実行中に所定の条件を満たすことで、バトル演出制御手段280により、自己のキャラクターが敵モンスターにダメージを与える攻撃演出が実行される。そして、バトル演出に勝利、具体的には、自己のキャラクターが敵モンスターを討伐した場合には、ＡＴ状態制御手段263により次のセットのＡＲＴ状態が付与されることとされている。
【０１１１】
また、このバトル演出の終了条件は、ＡＲＴ状態の終了条件と対応しており、ＡＴゲーム数がその上限（５０ゲーム）に達したことに基づいて終了する。そのため、ＡＴゲーム数の上限に達する前に、後述する判定手段290により後述する特殊攻撃ゲーム数が経過したと判定されたことに基づいて、設定差のないボーナス状態に滞在中に特殊攻撃演出が実行された場合、設定差のないボーナス状態の終了後、ＡＲＴ状態に移行して、このＡＲＴ状態においてＡＴゲーム数の上限に達するまでバトル演出が行われる。
【０１１２】
バトル演出制御手段280は、ＡＲＴ状態又は設定差のないボーナス状態に滞在中における役抽選にて所定のダメージ役としてのベル役に当選したことに基づいて、通常攻撃演出を実行する。この通常攻撃演出は、自己のキャラクターが敵モンスターに「１」ダメージを与える内容となっている。そして、バトル演出制御手段280により通常攻撃演出が実行された場合には、後述する敵ＨＰカウント手段281により当該通常攻撃演出で自己のキャラクターが敵モンスターに与えたダメージ「１」が敵モンスターのヒットポイント（以下、「ＨＰ」とする）から減算される。
【０１１３】
また、バトル演出制御手段280は、ＡＲＴ状態又は設定差のないボーナス状態に滞在中に後述する判定手段290により後述する特殊攻撃ゲーム数が経過したと判定されたことに基づいて、特殊攻撃演出を実行する。この特殊攻撃演出は、実行される状態に応じて自己のキャラクターが敵モンスターに与えるダメージが異なっており、ＡＲＴ状態に滞在中に実行された場合には「５」ダメージ、設定差のないボーナス状態に滞在中に実行された場合には「１０」ダメージとなっている。そして、バトル演出制御手段280により特殊攻撃演出が実行された場合には、後述する敵ＨＰカウント手段281により当該特殊攻撃演出で自己のキャラクターが敵モンスターに与えたダメージ「５」又は「１０」が敵モンスターのＨＰから減算される。
【０１１４】
つまり、バトル演出制御手段280は、自己のキャラクターが敵モンスターに与えるダメージに優劣を付けることで、設定差のないボーナス状態に滞在中に実行される特殊攻撃演出を、ＡＲＴ状態に滞在中に実行される特殊攻撃演出に比べて、遊技者にとって有利な内容としている。
【０１１５】
また、バトル演出制御手段280は、ボーナス内部中状態又は設定差のあるボーナス状態に滞在中のバトル演出においては、攻撃演出を実行しない。つまり、バトル演出制御手段280は、ボーナス内部中状態又は設定差のあるボーナス状態に滞在中のバトル演出における役抽選にて所定のダメージ役としてのベル役に当選しても、通常攻撃演出を実行しない。また、バトル演出制御手段280は、ボーナス内部中状態又は設定差のあるボーナス状態に滞在中のバトル演出における役抽選にてチャンス役に当選しても、特殊攻撃演出を実行しない。具体的には、バトル演出制御手段280は、ボーナス内部中状態又は設定差のあるボーナス状態に滞在中のバトル演出における役抽選にてチャンス役に当選しても、判定手段290による特殊攻撃ゲーム数の設定をさせないことにより、特殊攻撃演出の実行を回避している。
【０１１６】
ここで、バトル演出制御手段280は、ボーナス内部中状態に滞在中のバトル演出においては、攻撃演出に代えて、自己のキャラクターによる敵モンスターへの攻撃が実行されない待機演出を実行している。この待機演出では、後述する報知手段510により、ＡＲＴ状態で表示されていた映像が引き継がれて表示部84に表示される。たとえば、後述する報知手段510により、ＡＲＴ状態において洞窟内における対戦映像が表示部84に表示されていた場合、待機演出では、後述する報知手段510により、自己のキャラクターがその洞窟内で敵モンスターに攻撃を試みようと待機している映像が表示部84に表示される。なお、待機演出は、ＡＲＴ状態で表示されていた映像を引き継ぎ、かつ自己のキャラクターが敵モンスターに攻撃を行わない内容であれば、上述のものには限られない。
【０１１７】
バトル演出制御手段280は、設定差のあるボーナス状態に滞在中のバトル演出においては、攻撃演出に代えて、自己のキャラクターを紹介する紹介演出を実行している。この紹介演出では、自己のキャラクターの生い立ち、年齢又は性別等のプロフィールが後述する報知手段510により表示部84に表示される。なお、紹介演出は、自己のキャラクターを紹介する内容に限らず、敵モンスターを紹介する内容であってもよい。
【０１１８】
なお、通常攻撃演出で自己のキャラクターが敵モンスターに与えるダメージは、特殊攻撃演出で自己のキャラクターが敵モンスターに与えるダメージよりも少なければ、「１」に限らず、これより多くてもよい。また、上述の通常攻撃演出では、所定のダメージ役としてのベル役に当選したことに基づいて、一律に「１」ダメージを与えることとしたが、たとえば、押し順ベルの押し順に正解した場合には、与えるダメージを「２」にする等、所定のダメージ役の中で優劣を付けてもよい。さらに、所定のダメージ役はベル役に限らず、他の役でもよい。
【０１１９】
また、特殊攻撃演出で自己のキャラクターが敵モンスターに与えるダメージは、通常攻撃演出で自己のキャラクターが敵モンスターに与えるダメージよりも多ければ、「５」又は「１０」に限らず、これより多くても少なくてもよい。ただし、設定差のないボーナス状態に滞在中に実行される特殊攻撃演出で与えるダメージが、ＡＲＴ状態に滞在中に実行される特殊攻撃演出で与えるダメージよりも多くなることが必要である。
【０１２０】
（敵ＨＰカウント手段281）
敵ＨＰカウント手段281は、バトル演出において、敵モンスターのＨＰのカウントを行うものである。
この敵ＨＰカウント手段281は、バトル演出が開始されたことに基づいて、敵モンスターのＨＰとして「３０」を設定する。そして、敵ＨＰカウント手段281は、ＡＲＴ状態又は設定差のないボーナス状態に滞在中のバトル演出において、攻撃演出が実行された場合に、当該攻撃演出で自己のキャラクターが敵モンスターに与えたダメージを敵モンスターのＨＰから減算する。なお、ボーナス内部中状態又は設定差のあるボーナス状態に滞在中のバトル演出においては、攻撃演出が実行されないため、敵ＨＰカウント手段281による敵モンスターのＨＰのカウントは行われない。
【０１２１】
そして、敵ＨＰカウント手段281により、敵モンスターのＨＰが「０」になったと判定された場合には、ＡＴ状態制御手段263により次のセットのＡＲＴ状態、具体的には、ＡＴゲーム数が「５０」付与され、次の遊技から新たなＡＲＴ状態が開始される。
【０１２２】
なお、敵ＨＰカウント手段281が設定する敵モンスターのＨＰは「３０」に限らず、これより多くても少なくてもよいし、敵モンスターのＨＰを決定する敵ＨＰ決定抽選を行うことにより敵モンスターのＨＰを決定してもよい。また、敵ＨＰカウント手段281は、敵モンスターのＨＰを減算することに限らず、たとえば、遊技者が押し順ベルの押し順を不正解した場合に敵モンスターのＨＰを加算（回復）させてもよい。
【０１２３】
（判定手段290）
判定手段290は、ＡＲＴ状態又は設定差のないボーナス状態に滞在中のバトル演出において、所定遊技数としての特殊攻撃ゲーム数が経過したか否かを判定するものである。ここで、「特殊攻撃ゲーム数」とは、特殊攻撃演出の実行までに要するゲーム数をいい、第１の実施形態では、そのゲーム数を「ＡＲＴ状態における役抽選にてチャンス役に当選した後から１０ゲーム」としている。なお、「特殊攻撃ゲーム数」は、「ＡＲＴ状態における役抽選にてチャンス役に当選した後から１０ゲーム」に限らず、これより多くても少なくてもよいし、特殊攻撃ゲーム数を決定する特殊攻撃ゲーム数決定抽選を行うことにより特殊攻撃ゲーム数を決定してもよい。
【０１２４】
このとき、判定手段290は、ＡＲＴ状態又は設定差のないボーナス状態に滞在中のバトル演出において、「特殊攻撃ゲーム数」のカウントを進行することにより、特殊攻撃ゲーム数が経過したか否かを判定している。一方、判定手段290は、ボーナス内部中状態又は設定差のあるボーナス状態に滞在中のバトル演出において、「特殊攻撃ゲーム数」のカウントを停止している。つまり、判定手段290は、ボーナス内部中状態又は設定差のあるボーナス状態に滞在中のバトル演出においては、特殊攻撃ゲーム数が経過したか否かの判定を行っていない。
【０１２５】
具体的には、判定手段290は、ＡＲＴ状態における役抽選にてチャンス役に当選したことに基づいて、特殊攻撃ゲーム数の初期値として「１」を設定する。その後、判定手段290は、ＡＲＴ状態に滞在中のバトル演出において、１ゲームを消化する毎に特殊攻撃ゲーム数を「１」加算していく。
【０１２６】
一方、ＡＲＴ状態の滞在中に、当選役グループとしてのＲＢＢ１からＲＢＢ４又はＲＢ１のいずれかに当選して、ＡＲＴ状態からボーナス内部中状態に移行した場合、判定手段290は特殊攻撃ゲーム数のカウントを停止する。
【０１２７】
その後、ボーナス内部中状態の滞在中に、設定差のあるボーナス移行役に対応した図柄61が有効ライン86上に停止表示され、ボーナス内部中状態から設定差のあるボーナス状態に移行した場合、判定手段290は特殊攻撃ゲーム数のカウントを停止した状態を維持する。
【０１２８】
一方、ボーナス内部中状態の滞在中に、設定差のないボーナス移行役に対応した図柄61が有効ライン86上に停止表示され、ボーナス内部中状態から設定差のないボーナス状態に移行した場合、判定手段290は特殊攻撃ゲーム数のカウントを進行する。つまり、判定手段290は、ＡＲＴ状態の滞在中にカウントしていた特殊攻撃ゲーム数（たとえば、「７ゲーム」）を引き継いでカウントを再開し、１ゲームを消化する毎に特殊攻撃ゲーム数を「１」加算する。
【０１２９】
そして、判定手段290により、ＡＲＴ状態又は設定差のないボーナス状態に滞在中のバトル演出において、特殊攻撃ゲーム数が経過したと判定された場合には、バトル演出制御手段280により、特殊攻撃演出が実行される。
【０１３０】
また、第１の実施形態における判定手段290は、現在の状態がＡＲＴ状態であるか設定差のないボーナス状態であるかを判定したうえで、特殊攻撃ゲーム数が経過したか否かを判定している。なお、これに限らず、特殊攻撃ゲーム数を経過する契機がＡＲＴ状態であるか設定差のないボーナス状態であるかを予め想定しておくこととして、判定手段290は、現在の状態がＡＲＴ状態であるか設定差のないボーナス状態であるかを判定することなく、特殊攻撃ゲーム数が経過したか否かを判定するものであってもよい。
【０１３１】
（許容区間ゲーム数カウント手段300）
許容区間ゲーム数カウント手段300は、許容区間のゲーム数の上限を示す許容区間上限ゲーム数（１５００）を記憶するとともに、許容区間に滞在しているゲーム数を示す許容区間滞在ゲーム数のカウントを行うものである。この許容区間ゲーム数カウント手段300は、許容区間に移行した場合に、許容区間滞在ゲーム数を初期化処理として「０」にリセットし、その後、許容区間を１ゲーム消化する毎に許容区間滞在ゲーム数を「１」加算する。また、許容区間ゲーム数カウント手段300は、ボーナス内部中状態又はボーナス状態に滞在中に、当該状態を１ゲーム消化する毎に許容区間滞在ゲーム数を「１」加算する。そして、許容区間ゲーム数カウント手段300がカウントする許容区間滞在ゲーム数が、許容区間上限ゲーム数に達した場合、ＡＴ状態制御手段263により「許容区間」から「非許容区間」へ移行される。
【０１３２】
なお、許容区間ゲーム数カウント手段300により、初期化処理として許容区間滞在ゲーム数が「０」にリセットされるタイミングは、許容区間が終了したタイミングでもよい。また、許容区間ゲーム数カウント手段300による許容区間滞在ゲーム数のカウントは、上述の加算方式には限られない。たとえば、許容区間ゲーム数カウント手段300は、許容区間に移行した場合に、許容区間滞在ゲーム数を初期化処理として「１５００」にセットし、その後、許容区間を１ゲーム消化する毎、又はボーナス内部中状態若しくはボーナス状態を１ゲーム消化する毎に許容区間滞在ゲーム数を「１」減算することとしてもよい。
【０１３３】
（サブ制御手段500）
サブ制御手段500は、図５に示すように、報知手段510を有する。報知手段510の詳細については後述する。
以上の構成をもって、サブ制御手段500は、メイン制御手段200からの信号を受けて、遊技の進行に伴う演出を行うものである。
【０１３４】
具体的には、サブ制御手段500は、演出用ランプ78を駆動するためのＬＥＤ駆動回路（図示せず）に対してＬＥＤの点灯や消灯を規定するデータを出力したり、スピーカー72から音を出力するための音声出力回路（図示せず）に対して出力する音声を規定するデータを出力したり、表示部84を駆動するための液晶制御基板（図示せず）に対して出力する映像データを規定するデータを出力したりする。
【０１３５】
（報知手段510）
報知手段510は、演出装置70を用いて演出を遊技者に報知するためのものである。
この報知手段510は、役抽選の結果に基づく当選役に応じた演出や、ノーマル状態、ＲＴ状態、ボーナス内部中状態又はボーナス状態の各遊技状態に応じた演出や、押し順ナビを表示するための演出等を遊技者に報知する。これらの演出は、それぞれ複数設けられており、報知手段510は、抽選により所定の演出を選択するとともに選択した演出を演出装置70を用いて遊技者に報知する。
【０１３６】
また、報知手段510は、バトル演出制御手段280により制御されるバトル演出を演出装置70を用いて遊技者に報知する。上述のように、第１の実施形態におけるバトル演出は、自己のキャラクターが敵モンスターを討伐できるか否かの討伐バトルであるため、報知手段510は、演出装置70を用いて、自己のキャラクターと敵モンスターとが戦っている様子を遊技者に報知している。
【０１３７】
報知手段510は、自己のキャラクターと敵モンスターとが戦っている様子として、たとえば、自己のキャラクターが敵モンスターにダメージを与える攻撃演出を演出装置70を用いて遊技者に報知している。
【０１３８】
具体的には、報知手段510は、ＡＲＴ状態又は設定差のないボーナス状態に滞在中における役抽選にてベル役に当選し、バトル演出制御手段280により通常攻撃演出が実行されたことに基づいて、通常攻撃演出を演出装置70を用いて遊技者に報知する。この通常攻撃演出の内容は、自己のキャラクターが敵モンスターに「１」ダメージを与えるものであるため、報知手段510は、表示部84に「敵モンスターに１ダメージ！」等と表示させる。なお、報知手段510が演出装置70を用いて遊技者に報知する通常攻撃演出の内容は、前述のものに限らない。
【０１３９】
また、報知手段510は、ＡＲＴ状態又は設定差のないボーナス状態に滞在中に判定手段290により特殊攻撃ゲーム数が経過したと判定され、バトル演出制御手段280により特殊攻撃演出が実行されたことに基づいて、特殊攻撃演出を演出装置70を用いて遊技者に報知する。この特殊攻撃演出は、ＡＲＴ状態に滞在中に実行された場合には自己のキャラクターが敵モンスターに「５」ダメージを与え、設定差のないボーナス状態に滞在中に実行された場合には自己のキャラクターが敵モンスターに「１０」ダメージを与えるものである。そのため、報知手段510は、表示部84に「敵モンスターに５（又は１０）ダメージ！」等と表示させる。なお、報知手段510が演出装置70を用いて遊技者に報知する特殊攻撃演出の内容は、前述のものに限らない。
【０１４０】
さらに、報知手段510が演出装置70を用いて遊技者に報知する特殊攻撃演出の内容は、通常攻撃演出の内容に比べて派手なものとすることが望ましい。たとえば、特殊攻撃演出の場合、報知手段510は、表示部84へのダメージの表示に加えて、演出用ランプ78を発光させたり、スピーカー72から音声を出力させたりすることにより、表示部84へのダメージの表示のみの通常攻撃演出の内容との間に差を設けてもよい。なお、この場合、通常攻撃演出の内容は、特殊攻撃演出の内容に比べて地味なものであればよく、必ずしも表示部84へダメージを表示することのみには限られない。
【０１４１】
ここで、報知手段510は、ＡＲＴ状態からボーナス内部中状態又はボーナス状態へ移行した後においてもＡＲＴ状態で開始されたバトル演出を継続して表示部84に表示させている。ただし、報知手段510は、ボーナス内部中状態又は設定差のあるボーナス状態に滞在中のバトル演出では、ＡＲＴ状態におけるバトル演出とは異なる演出を表示部84に表示させる。
【０１４２】
報知手段510は、ボーナス内部中状態又は設定差のあるボーナス状態に滞在中のバトル演出の場合、ＡＲＴ状態に滞在中のバトル演出と異なり、自己のキャラクターと敵モンスターとの対戦映像を表示部84に表示させない。具体的には、報知手段510は、ボーナス内部中状態に滞在中のバトル演出の場合、ＡＲＴ状態で表示されていた映像を引き継いだうえで、自己のキャラクターによる敵モンスターへの攻撃が実行されない待機演出（たとえば、自己のキャラクターが敵モンスターに攻撃を試みようと待機している映像）を表示部84に表示させる。なお、待機演出は、ＡＲＴ状態で表示されていた映像を引き継ぎ、かつ自己のキャラクターが敵モンスターに攻撃を行わない内容であればよく、報知手段510は、ボーナス内部中状態に滞在中のバトル演出の場合、自己のキャラクターが敵モンスターの攻撃を避ける映像を表示部84に表示させてもよい。
【０１４３】
また、報知手段510は、設定差のあるボーナス状態に滞在中のバトル演出の場合、自己のキャラクターと敵モンスターとが戦っている様子を切り替え、自己のキャラクターを紹介する紹介演出（たとえば、自己のキャラクターの生い立ち、年齢又は性別等のプロフィール）を表示部84に表示させる。なお、紹介演出は、自己のキャラクターを紹介する内容に限らず、敵モンスターを紹介する内容であってもよく、報知手段510は、設定差のあるボーナス状態に滞在中のバトル演出の場合、敵モンスターを紹介する映像を表示部84に表示させてもよい。
【０１４４】
一方、報知手段510は、設定差のないボーナス状態に滞在中のバトル演出では、ＡＲＴ状態におけるバトル演出と同様に、攻撃演出等の自己のキャラクターと敵モンスターとが戦っている様子を表示部84に表示させる。
【０１４５】
また、報知手段510は、ＡＲＴ状態に滞在中のバトル演出における役抽選にて、ボーナス状態への移行に係るボーナス移行役に当選したことに基づいて、ボーナス内部中状態に滞在中である旨を表示部84に表示させる。
【０１４６】
具体的には、ＡＲＴ状態に滞在中のバトル演出における役抽選手段210による役抽選にて、ボーナス移行役（第１ボーナス役から第５ボーナス役）に当選し、かつボーナス移行役に対応した図柄61を有効ライン86上に停止表示できなかった場合に、ボーナス内部中状態へ移行する。そして、報知手段510は、図１４に示すように、ボーナス内部中状態の滞在中にボーナス内部中状態に滞在中である旨を表示部84に表示、すなわち、遊技者にボーナス当選の報知を行う。報知手段510は、たとえば、「ボーナス当選！」の文字を表示部84に表示させることにより、遊技者へボーナス当選の報知を行う。
【０１４７】
なお、報知手段510による遊技者へのボーナスの報知方法は前述のものに限られない。たとえば、「ボーナス当選！」の文字を表示部84に表示させることで直接的に遊技者へボーナス当選の報知を行うことに限らず、間接的に遊技者へボーナス当選の報知を行ってもよい。つまり、遊技者にボーナス内部中状態に滞在中であることを察知させることができれば、「ボーナス当選の報知」が行われたこととしてもよい。
【０１４８】
上述のように、報知手段510は、ボーナス内部中状態に滞在中のバトル演出においては、役抽選にて所定のダメージ役としてのベル役に当選しても、表示部84には攻撃演出（自己のキャラクターと敵モンスターとの対戦映像）を表示させず、待機演出を表示させる。そのため、ＡＲＴ状態に滞在中であれば、ベル役の当選により表示部84に表示されていた攻撃演出が表示されないという違和感を覚えた遊技者に「ボーナスに当選したのではないか？」と察知させることができる。
【０１４９】
また、報知手段510は、ＡＲＴ状態に滞在中のバトル演出における役抽選にて、ＢＢ１への移行に係る第１ボーナス役に当選したことに基づいて、第１ボーナス役に当選した旨を表示部84に表示させる。具体的には、報知手段510は、ＢＢ１への移行に係る図柄61が有効ライン86上に停止表示された場合に、第１ボーナス役に当選した旨を表示部84に表示させる。たとえば、報知手段510は、第１ボーナス役に当選した旨として、「第１ボーナス役に当選！移行先はＢＢ１です！」の文字を表示部84に表示させることにより、遊技者に第１ボーナス役に当選した旨を報知する。なお、報知手段510による遊技者への第１ボーナス役に当選した旨の報知方法は前述のものに限られない。
【０１５０】
また、報知手段510は、ＡＲＴ状態に滞在中のバトル演出における役抽選にて、ＢＢ２への移行に係る第２ボーナス役に当選したことに基づいて、第２ボーナス役に当選した旨を表示部84に表示させる。具体的には、報知手段510は、ＢＢ２への移行に係る図柄61が有効ライン86上に停止表示された場合に、第２ボーナス役に当選した旨を表示部84に表示させる。たとえば、報知手段510は、第２ボーナス役に当選した旨として、「第２ボーナス役に当選！移行先はＢＢ２です！」の文字を表示部84に表示させることにより、遊技者に第２ボーナス役に当選した旨を報知する。なお、報知手段510による遊技者への第２ボーナス役に当選した旨の報知方法は前述のものに限られない。
【０１５１】
また、報知手段510は、ＡＲＴ状態に滞在中のバトル演出における役抽選にて、ＢＢ３への移行に係る第３ボーナス役に当選したことに基づいて、第３ボーナス役に当選した旨を表示部84に表示させる。具体的には、報知手段510は、ＢＢ３への移行に係る図柄61が有効ライン86上に停止表示された場合に、第３ボーナス役に当選した旨を表示部84に表示させる。たとえば、報知手段510は、第３ボーナス役に当選した旨として、「第３ボーナス役に当選！移行先はＢＢ３です！」の文字を表示部84に表示させることにより、遊技者に第３ボーナス役に当選した旨を報知する。なお、報知手段510による遊技者への第３ボーナス役に当選した旨の報知方法は前述のものに限られない。
【０１５２】
また、報知手段510は、ＡＲＴ状態に滞在中のバトル演出における役抽選にて、ＢＢ４への移行に係る第４ボーナス役に当選したことに基づいて、第４ボーナス役に当選した旨を表示部84に表示させる。具体的には、報知手段510は、ＢＢ４への移行に係る図柄61が有効ライン86上に停止表示された場合に、第４ボーナス役に当選した旨を表示部84に表示させる。たとえば、報知手段510は、第４ボーナス役に当選した旨として、「第４ボーナス役に当選！移行先はＢＢ４です！」の文字を表示部84に表示させることにより、遊技者に第４ボーナス役に当選した旨を報知する。なお、報知手段510による遊技者への第４ボーナス役に当選した旨の報知方法は前述のものに限られない。
【０１５３】
また、報知手段510は、ＡＲＴ状態に滞在中のバトル演出における役抽選にて、ＲＢ１への移行に係る第５ボーナス役に当選したことに基づいて、第５ボーナス役に当選した旨を表示部84に表示させる。具体的には、報知手段510は、ＲＢ１への移行に係る図柄61が有効ライン86上に停止表示された場合に、第５ボーナス役に当選した旨を表示部84に表示させる。たとえば、報知手段510は、第５ボーナス役に当選した旨として、「第５ボーナス役に当選！移行先はＲＢ１です！」の文字を表示部84に表示させることにより、遊技者に第５ボーナス役に当選した旨を報知する。なお、報知手段510による遊技者への第５ボーナス役に当選した旨の報知方法は前述のものに限られない。
【０１５４】
つまり、遊技者は、ボーナスに当選した事実は、ボーナス内部中状態に報知手段510によりボーナス当選の報知がなされることで認識できるが、当選したボーナスの種類はボーナス図柄が有効ライン86上に停止表示された場合に初めて認識できる。なお、第１の実施形態では、ボーナス図柄が有効ライン86上に停止表示された場合に初めて当選したボーナスの種類を遊技者が認識できることとしたが、遊技者に当選したボーナスの種類を認識させる契機は上述のものに限られない。たとえば、報知手段510は、ボーナス内部中状態におけるボーナス当選の報知に加え、「ボーナスの種類はＢＢ３！」等の文字を表示部84に表示させることにより、「ボーナス当選」及び「当選したボーナスの種類」を遊技者に報知してもよい。
【０１５５】
また、報知手段510は、バトル演出において、「敵モンスターのＨＰ」、「ダメージ」及び「特殊攻撃ゲーム数」等を適宜、表示部84に表示させている。第１の実施形態では、報知手段510は、バトル演出において、「敵モンスターのＨＰ」及び「特殊攻撃ゲーム数」を常に表示部84に表示させ、「ダメージ」は、敵モンスターにダメージを与えた場合にそのダメージを表示部84に表示させる。なお、報知手段510がバトル演出において表示部84に表示させる情報は、上述のものには限られず、また、バトル演出において常に表示部84に表示させている情報は、上述のものには限られない。たとえば、自己のキャラクターにもＨＰを設定して、報知手段510により「自己のキャラクターのＨＰ」を適宜、表示部84に表示させてもよい。
【０１５６】
（図６を用いた遊技状態の説明）
次に、図６を用いて遊技状態について説明する。
遊技状態は、メイン制御手段200により管理され、図６に示すように、大別すると、ノーマル状態、ＲＴ状態、ボーナス内部中状態及びボーナス状態がある。なお、各遊技状態における再遊技役への当選確率は、ノーマル状態のＲＴ０（初期状態）においては１／７．３に設定されており、ノーマル状態のＲＴ１では、ＲＴ０と同じ１／７．３に設定されている。
【０１５７】
また、ＲＴ状態のＲＴ２及びＲＴ３と、ボーナス内部中状態のＲＴ４とでは、再遊技役への当選確率がノーマル状態のＲＴ０やＲＴ１よりも高く設定されている。なお、ＲＴ４では、再遊技役への当選確率がＲＴ２又はＲＴ３より低いがＲＴ０及びＲＴ１よりは高くなるように設定されている。もちろん、このＲＴ４の再遊技役の当選確率は、ＲＴ０及びＲＴ１と同等に設定してもよいし、ＲＴ２又はＲＴ３と同等又はＲＴ２又はＲＴ３より高くなるように設定してもよい。
【０１５８】
ノーマル状態は、ノーマル状態制御手段251により制御され、ＲＴ０と、ＲＴ１とがある。
「ＲＴ０」から「ＲＴ１」には、ＲＴ１特定図柄としての押し順役こぼし図柄を停止表示させた場合に移行する。ここで、「押し順役こぼし図柄」とは、たとえば、当選役グループとしてのＣＢＥ１又はＣＢＥ２に当選し（図１２参照）、押し順不正解（ストップスイッチ50を左第一停止で操作）した際に停止表示される図柄61である。「ＲＴ０」では押し順ナビが実行されず、遊技者はストップスイッチ50を左第一停止で操作している。これにより、ＲＴ０において、当選役グループとしてのＣＢＥ１又はＣＢＥ２に当選し、遊技者によりストップスイッチ50が左第一停止で操作された場合には、ＲＴ１特定図柄が停止表示され「ＲＴ１」に移行する。
【０１５９】
「ＲＴ状態」は、ＲＴ状態制御手段252により制御され、「ノーマル状態」より再遊技役への当選確率の高い「ＲＴ２」及び「ＲＴ３」がある。
【０１６０】
ノーマル状態からＲＴ状態、具体的には、「ＲＴ１」から「ＲＴ２」には、当選役グループとしてのＲＴ２ＲＰ１からＲＴ２ＲＰ４に当選し（図１２参照）、正解の押し順でストップスイッチ50が停止操作された場合には、ＲＴ２移行図柄としてのＲＴ２再遊技図柄が停止表示され「ＲＴ２」に移行する。
【０１６１】
また、ＲＴ２において、当選役グループとしてのＲＴ２ＲＰ５からＲＴ２ＲＰ９に当選し（図１２参照）、正解の押し順以外の押し順でストップスイッチ50が停止操作された場合には、ＲＴ１移行図柄としてのＲＴ１再遊技図柄が停止表示され「ＲＴ１」に移行する。さらに、ＲＴ２において、ＲＴ１特定図柄としての押し順役こぼし図柄が停止表示された場合には、「ＲＴ１」に移行する。
【０１６２】
「ＲＴ２」から「ＲＴ３」には、当選役グループとしてのＲＴ３ＲＰ１からＲＴ３ＲＰ３に当選し（図１２参照）、正解の押し順でストップスイッチ50が停止操作された場合には、ＲＴ３移行図柄としてのＲＴ３再遊技図柄が停止表示され「ＲＴ３」に移行する。
【０１６３】
また、ＲＴ３において、当選役グループとしてのＲＴ３ＲＰ４からＲＴ３ＲＰ６に当選し（図１２参照）、正解の押し順以外の押し順でストップスイッチ50が停止操作された場合には、ＲＴ１移行図柄としてのＲＴ１再遊技図柄が停止表示され「ＲＴ１」に移行する。さらに、ＲＴ３において、ＲＴ１特定図柄としての押し順役こぼし図柄が停止表示された場合には、「ＲＴ１」に移行する。
【０１６４】
「ＲＴ４」は、ボーナス内部中状態制御手段253により制御され、ボーナス移行役に当選し当該ボーナス移行役に対応した図柄61を有効ライン86上に停止表示できなかった場合に移行する。また、図示しないが、第１の実施形態における「ＲＴ４」は、「ＡＲＴ状態」から移行可能となっており、その移行条件も「ボーナス移行役に当選し当該ボーナス移行役に対応した図柄61を有効ライン86上に停止表示できなかったこと」である。
「ＲＴ４」は、ノーマル状態又はＲＴ状態において、当選役グループとしてのＲＢＢ１からＲＢＢ４又はＲＢ１のいずれかに当選し、当該ボーナス移行役に対応した図柄61を有効ライン86上に停止表示できなかった場合に移行する（図１１参照）。
【０１６５】
「ボーナス状態」は、ボーナス状態制御手段254により制御され、「ＢＢ（ビッグボーナス）」及び「ＲＢ（レギュラーボーナス）」がある。
【０１６６】
「ＢＢ（ビッグボーナス）」は、「ＲＴ４」において、ボーナス移行役に対応した図柄61を有効ライン86上に停止表示させることで移行する。また、「ＢＢ（ビッグボーナス）」は、「ノーマル状態」及び「ＲＴ状態」において、ボーナス移行役に当選し、かつボーナス移行役に対応した図柄61を有効ライン86上に停止表示させることで移行する。さらに、図示しないが、第１の実施形態における「ＢＢ（ビッグボーナス）」は、「ＡＲＴ状態」から移行可能となっている。そして、「ＡＲＴ状態」から「ＢＢ（ビッグボーナス）」への移行条件も「ボーナス移行役に当選し、かつボーナス移行役に対応した図柄61を有効ライン86上に停止表示させること」である。
【０１６７】
「ＢＢ（ビッグボーナス）」は、レギュラーボーナス（ＲＢ）が連続作動し、ＢＢ１及びＢＢ２では４００枚、ＢＢ３及びＢＢ４では２００枚を超えるメダルの払い出しで終了する。
そして、「ＢＢ１からＢＢ４」の終了後、「ノーマル状態」、「ＲＴ状態」又は「ＡＲＴ状態」に移行する。
【０１６８】
第１の実施形態に係る「ＲＢ（レギュラーボーナス）」には、「ＲＢ１」がある。ここで、第１の実施形態に係る「ＲＢ１」は、「設定差なし」の第５ボーナス役に当選し、かつ第５ボーナス移行役に対応した図柄61を有効ライン86上に停止表示させることで移行する。
【０１６９】
具体的には、「ＲＢ１」は、「ＲＴ４」において、ボーナス移行役に対応した図柄61を有効ライン86上に停止表示させることで移行する。また、「ＲＢ１」は、「ノーマル状態」及び「ＲＴ状態」において、ボーナス移行役に当選し、かつボーナス移行役に対応した図柄61を有効ライン86上に停止表示させることで移行する。さらに、図示しないが、第１の実施形態における「ＲＢ１」は、「ＡＲＴ状態」から移行可能となっている。そして、「ＡＲＴ状態」から「ＲＢ１」への移行条件も「ボーナス移行役に当選し、かつボーナス移行役に対応した図柄61を有効ライン86上に停止表示させること」である。
【０１７０】
「ＲＢ１」は、規定回数（たとえば、５回）の入賞、又は規定回数（たとえば、１５回）のゲーム数の消化により終了する。
そして、「ＲＢ１」の終了後、「ノーマル状態」、「ＲＴ状態」又は「ＡＲＴ状態」に移行する。
【０１７１】
（図７を用いた許容区間の説明）
次に、図７を用いて許容区間について説明する。
図７に示すように、第１の実施形態では、小役の押し順ナビの表示が許容されない「非許容区間」と、非許容区間よりも配当付与手段240によるメダルが付与される可能性が高く、遊技者に有利であって、メダルの払い出しを伴う小役の押し順ナビの表示が許容される「許容区間」とがある。「非許容区間」としては、「非許容区間通常状態」がある。また、「許容区間」としては、「許容区間通常状態」、「ＣＺ状態」、「ＡＲＴ準備中状態」及び「ＡＲＴ状態」がある。
【０１７２】
（非許容区間）
非許容区間は、許容区間を除いた区間であって、小役の押し順ナビの表示が許容されない、すなわち、ＡＴ遊技を行うことが許容されない区間である。そのため、非許容区間を継続すると、結果として、遊技者が所有しているメダルの合計が減少することとなっている。「非許容区間」としては、「非許容区間通常状態」がある。なお、「非許容区間」の種類や数は、前述したものに限られない。
【０１７３】
（非許容区間通常状態）
「非許容区間通常状態」は、後述する「許容区間」における「許容区間通常状態」、「ＣＺ状態」、「ＡＲＴ準備中状態」及び「ＡＲＴ状態」等の特殊な状態を除いた状態である。この「非許容区間通常状態」の滞在中における遊技状態は、主にノーマル状態の「ＲＴ１」に滞在していることとされている（図６参照）。
【０１７４】
（許容区間）
「許容区間」は、「非許容区間」よりも配当付与手段240によるメダルが付与される可能性が高く、遊技者に有利な区間であって、メダルの払い出しを伴う小役の押し順ナビの表示が許容される区間である。すなわち、「許容区間」は、ＡＴ遊技を行うことが許容される区間である。
【０１７５】
この「許容区間」においては、少なくとも１回、最大払出枚数に係る入賞に対する指示がされることとなっている。具体的には、第１の実施形態では、最大払出枚数に係る入賞に対する指示として、ベル役が含まれる当選役グループのうち、「ＬＢＥ１」、「ＬＢＥ２」、「ＣＢＥ１」、「ＣＢＥ２」、「ＲＢＥ１」又は「ＲＢＥ２」のいずれかに当選した場合に、報知手段510により表示部84に表示される押し順ナビとされている。また、許容区間は、許容区間上限ゲーム数（１５００）が許容区間ゲーム数カウント手段300により記憶されており、許容区間ゲーム数カウント手段300によりカウントされる許容区間滞在ゲーム数が許容区間上限ゲーム数に達した場合、他の終了条件の成立の有無にかかわらず、当該許容区間を終了する。
【０１７６】
ここで、「許容区間」としては、上述のように「許容区間通常状態」、「ＣＺ状態」、「ＡＲＴ準備中状態」及び「ＡＲＴ状態」がある。なお、「許容区間」の種類や数は、上述したものに限られない。
【０１７７】
（許容区間通常状態）
許容区間通常状態は、「非許容区間」から「許容区間」に移行した場合に最初に滞在する状態である。「非許容区間」から「許容区間」、具体的には、「非許容区間通常状態」から「許容区間通常状態」には、非許容区間通常状態における役抽選にてスイカ役に当選したことに基づいて移行抽選手段270により行われる許容区間移行抽選に当選したことに基づいて移行する。
【０１７８】
また、許容区間通常状態は、非許容区間における非許容区間通常状態を継続した状態となっている。つまり、「非許容区間通常状態」と「許容区間通常状態」との違いは、滞在している区間が「非許容区間」か「許容区間」かの違いだけとなっている。
【０１７９】
第１の実施形態では、許容区間に滞在しているか否か示す許容区間情報（許容区間フラグ）が設けられており、この許容区間情報が示す内容の違いによって、非許容区間通常状態と許容区間通常状態とを区別している。この場合、許容区間フラグ値＝１であれば許容区間に滞在していることを示し、許容区間フラグ値＝０であれば非許容区間に滞在していることを示している。
【０１８０】
そのため、第１の実施形態では、許容区間移行抽選は許容区間フラグ値＝０である非許容区間通常状態でのみ実行され、ＣＺ移行抽選は許容区間フラグ＝１である許容区間通常状態でのみ実行されることとされている。なお、許容区間移行抽選やＣＺ移行抽選のように、滞在区間に依存する抽選は実行される状態が異なっているが、滞在区間に依存しない抽選である役抽選は、非許容区間通常状態と許容区間通常状態とで同様に実行される。すなわち、役抽選は、非許容区間通常状態と許容区間通常状態とで、同じ当選確率であって、かつ同じ役抽選テーブルを用いて実行される。
【０１８１】
そして、許容区間通常状態では、許容区間通常状態の各ゲームにて移行抽選手段270によるＣＺ移行抽選が行われ、当該ＣＺ移行抽選に当選した場合には、ＣＺ状態への移行が決定される。なお、「許容区間通常状態」から「ＣＺ状態」への移行条件は、ＣＺ移行抽選に当選することに限らず、たとえば、所定ゲーム数を消化したことに基づいてＣＺ状態へ移行することとしてもよい。
【０１８２】
（ＣＺ状態）
ＣＺ状態は、ＡＲＴ状態、具体的には、ＡＲＴ準備中状態へ移行するか否かが決定される１０ゲームのいわゆるチャンスゾーンである。具体的には、ＣＺ状態では、役抽選にてチェリー役に当選したことに基づいて移行抽選手段270によるＡＴ抽選が行われ、当該ＡＴ抽選に当選した場合には、ＡＲＴ準備中状態への移行が決定される。
【０１８３】
また、「ＣＺ状態」は、上述のように、移行抽選手段270によるＡＴ抽選が行われ、当該ＡＴ抽選に当選した場合には、ＡＲＴ準備中状態への移行が決定され、当該ＣＺ状態が終了する。一方、「ＣＺ状態」は、ＣＺ状態の上限ゲーム数である１０ゲーム以内にＡＴ抽選に当選しなかった場合には、非許容区間への移行が決定され、当該ＣＺ状態が終了する。なお、ＣＺ状態の上限ゲーム数は、１０ゲームに限らず、これより多くても少なくてもよいし、ＣＺ状態の上限を決定するＣＺゲーム数抽選を行うことによりＣＺ状態の上限ゲーム数を決定してもよい。
【０１８４】
（ＡＲＴ準備中状態）
ＡＲＴ準備中状態は、ＡＲＴ状態への移行が確定している状態であって、遊技状態が「ＲＴ３」へ移行することを待つ状態である。
そして、ＡＲＴ準備中状態において、当選役グループとしてのＲＴ３ＲＰ１からＲＴ３ＲＰ３に当選し（図１２参照）、正解の押し順でストップスイッチ50が停止操作されると遊技状態が「ＲＴ３」となり、ＡＲＴ状態へと移行する。
【０１８５】
また、「ＣＺ状態」から「ＡＲＴ準備中状態」には、ＣＺ状態における役抽選にてチェリー役に当選したことに基づいて移行抽選手段270により行われるＡＴ抽選に当選したことに基づいて移行する。
【０１８６】
（ＡＲＴ状態）
ＡＲＴ状態は、「許容区間」に属し、「非許容区間通常状態」、「許容区間通常状態」、「ＣＺ状態」及び「ＡＲＴ準備中状態」よりも遊技者にとって有利な状態である。当該「ＡＲＴ状態」では、当選した小役の押し順ナビが表示される遊技であるＡＴ遊技が行われるため、表示された押し順ナビに従ってストップスイッチ50を操作することで、当選した小役の図柄61の組合せを停止表示させることができる。このため、成立した小役に対応する所定枚数のメダルが払い出される。
【０１８７】
また、ＡＲＴ状態は、ＡＲＴ状態のゲーム数の上限、具体的には、ＡＴゲーム数の上限が設定され、当該ＡＴゲーム数の上限に到達したことに基づいて終了するよう設定されている。
【０１８８】
「ＡＲＴ状態」では、ＡＴ遊技のゲーム数が「５０」に設定されている。そして、「ＡＲＴ状態」は、ＡＴ遊技のゲーム数を消化した後に、ＡＲＴ中のＡＴ遊技を終了する。ただし、この場合の遊技状態は、ＲＴ遊技が行われるＲＴ状態（たとえば、ＲＴ３）に滞在している。そして、ＡＴ遊技のゲーム数を消化した場合は、ＡＲＴ（ＡＴ＋ＲＴ）のうち、ＡＴ遊技が終了するように設定されているため、ストップスイッチ50の押し順ナビの表示が終了される。また、ＡＴ遊技の終了に伴い、ＲＴ１移行図柄としてのＲＴ１再遊技図柄の表示を回避するストップスイッチ50の押し順ナビが表示されなくなり、結果として、ＲＴ状態（たとえば、ＲＴ３）において、ＲＴ１移行図柄としてのＲＴ１再遊技図柄が停止表示され、「ＲＴ１」へ戻る。なお、遊技状態の「ＲＴ１」への移行に伴って、許容区間から非許容区間へと移行する。つまり、ＡＲＴ中のＡＴ遊技及びＲＴ遊技の終了に伴って、許容区間から非許容区間へと移行する。
【０１８９】
ただし、「許容区間」から「非許容区間」への移行条件が成立するための前提として、当該許容区間において、少なくとも１回、最大払出枚数に係る入賞に対する指示がなされていることが条件となる。
【０１９０】
また、「許容区間」から「非許容区間」へは、上述のＣＺ状態のゲーム数又はＡＴ遊技のゲーム数が残っていても、許容区間ゲーム数カウント手段300によりカウントされている許容区間滞在ゲーム数が、許容区間上限ゲーム数（１５００）に達した場合に移行する。つまり、第１の実施形態において「許容区間」から「非許容区間」には、「ＣＺ状態の終了」、「ＡＲＴ状態の終了」又は「許容区間上限ゲーム数の消化」により移行する。そして、「許容区間上限ゲーム数の消化」は、「ＣＺ状態の終了」及び「ＡＲＴ状態の終了」よりも優先される。
【０１９１】
（役の種類等）
次に、図８から図１２を用いて、役の種類等について説明する。
まず、図８から図１０に示すように、役の種類と、図柄61の組合せについて説明する。
【０１９２】
たとえば、図８に示すように、ボーナス移行役として、左回転リール64、中回転リール66、右回転リール68の順（以下同様）に「Ｒ７  Ｒ７  Ｒ７」の図柄61の組合せの第１ボーナス役、「Ｂ７  Ｂ７  Ｂ７」の図柄61の組合せの第２ボーナス役、「Ｒ７  Ｒ７  Ｂ７」の図柄61の組合せの第３ボーナス役、「Ｂ７  Ｂ７  Ｒ７」の図柄61の組合せの第４ボーナス役、及び「ＢＡＲ  ＢＡＲ  ＢＡＲ」の図柄61の組合せの第５ボーナス役が設けられている。
【０１９３】
ここで、第１の実施形態に係るボーナス移行役では、設定値によって当選確率が異なる「設定差あり」の「第１ボーナス役」及び「第２ボーナス役」と、設定値によって当選確率が異ならない全設定値共通の当選確率となる「設定差なし」の「第３ボーナス役」、「第４ボーナス役」及び「第５ボーナス役」とが設けてある。
【０１９４】
また、図９に示すように、リプレイ役として、たとえば、「ＢＥ１又はＢＥ２  ＲＰ  Ｒ７、Ｗ７又はＣＨ」の図柄61の組合せの通常リプレイＡ役や、「ＢＥ２  ＲＰ  ＢＥ１又はＢＥ２」の図柄61の組合せの通常リプレイＢ役などが設けられている。
【０１９５】
また、図１０に示すように、小役のベル役として、「ＢＥ１又はＢＥ２  ＢＥ１又はＢＥ２  ＢＥ１又はＢＥ２」の図柄61の組合せのベルＡ役、「Ｒ７、Ｂ７、ＢＡＲ、ＲＰ又はＷＭ１  ＢＥ１又はＢＥ２  ＲＰ」の図柄61の組合せのベルＢ役、「ＷＭ２  ＢＥ１又はＢＥ２  Ｂ７、ＷＭ１、ＷＭ２又はＣＨ」の図柄61の組合せのベルＣ役が設けられている。
【０１９６】
また、図１０に示すように、小役のスイカ役として、「ＷＭ１又はＷＭ２  ＷＭ１又はＷＭ２  ＷＭ１又はＷＭ２」の図柄61の組合せのスイカＡ役、「ＲＰ又はＢＥ２  ＷＭ１又はＷＭ２  ＢＥ１」の図柄61の組合せのスイカＢ役が設けられている。
【０１９７】
また、図１０に示すように、小役のチェリー役として、「ＢＡＲ  Ｒ７、Ｂ７、ＢＡＲ、ＷＭ１又はＷＭ２  ＲＰ」の図柄61の組合せのチェリーＡ役、「ＣＨ  ＲＰ  ＢＥ１、ＢＥ２、ＷＭ１又はＣＨ」の図柄61の組合せのチェリーＢ役、「ＣＨ  Ｒ７又はＷＭ２  ＲＰ」の図柄61の組合せのチェリーＣ役、「ＣＨ  Ｒ７、Ｂ７、ＢＡＲ又はＣＨ  ＷＭ１又はＣＨ」の図柄61の組合せのチェリーＤ役が設けられている。
【０１９８】
また、図１０に示すように、小役のチャンス役として、「ＢＥ１又はＢＥ２  ＢＥ１又はＢＥ２  ＲＰ」の図柄61の組合せのチャンスＡ役、・・・「ＢＥ１又はＢＥ２  Ｒ７  ＲＰ」の図柄61の組合せのチャンスＰ役などが設けられている。
【０１９９】
また、図１０に示すように、小役の１枚役として、「Ｒ７又はＢＡＲ  ＲＰ  ＢＥ１又はＢＥ２」の図柄61の組合せの１枚Ａ役、・・・「ＢＥ２  Ｒ７  ＲＰ」の図柄61の組合せの１枚Ｇ役などが設けられている。
【０２００】
また、役抽選手段210により抽選される役の種類と図柄61の組合せについては、図８から図１０に示すものに限定されない。
【０２０１】
次に、図１１及び図１２を用いて、当選役グループについて説明する。
なお、当選役グループについては、図１１及び図１２に示すものに限定されない。
図１１及び図１２は、予め定められた複数種類の当選役グループを示し、各当選役グループは、１つの役又は複数の役の組合せから構成される。そして、第１の実施形態では、役抽選手段210は、役抽選によりいずれかの当選役グループが当選するか否かを決定している。
【０２０２】
そのため、当選役グループが複数の役から構成されている場合は、当選役グループの複数の役に同時に当選（重複して当選）していることとなる。また、役抽選の結果、いわゆる「ハズレ」は、いずれの当選役グループも当選しなかった場合を示している。
また、各当選役グループは、図１２に示すように、ストップスイッチ50の押し順が設定されているものがあり、ストップスイッチ50の押し順によって成立（入賞）する役が異なるように設定されている。
【０２０３】
図１１に示すように、ボーナス移行役が含まれる当選役グループには、「ＲＢＢ１」、「ＲＢＢ２」、「ＲＢＢ３」、「ＲＢＢ４」及び「ＲＢ１」が設けられている。
【０２０４】
図１２に示すように、リプレイ役が含まれる当選役グループには、「ＲＰ１」、「ＲＴ２ＰＲ１」、「ＲＴ２ＲＰ２」、「ＲＴ２ＲＰ３」、「ＲＴ２ＲＰ４」、「ＲＴ２ＲＰ５」、「ＲＴ２ＲＰ６」、「ＲＴ２ＲＰ７」、「ＲＴ２ＲＰ８」、「ＲＴ２ＲＰ９」、「ＲＴ３ＲＰ１」、「ＲＴ３ＲＰ２」、「ＲＴ３ＲＰ３」、「ＲＴ３ＲＰ４」、「ＲＴ３ＲＰ５」及び「ＲＴ３ＲＰ６」が設けられている。
【０２０５】
また、図１２に示すように、ベル役が含まれる当選役グループには、「ＢＥ１」、「ＢＥ２」、「ＬＢＥ１」、「ＬＢＥ２」、「ＣＢＥ１」、「ＣＢＥ２」、「ＲＢＥ１」及び「ＲＢＥ２」が設けられている。
また、図１２に示すように、スイカ役が含まれる当選役グループには、「ＷＭ１」及び「ＷＭ２」が設けられている。
【０２０６】
また、図１２に示すように、チェリー役が含まれる当選役グループには、「ＣＨ１」及び「ＣＨ２」が設けられている。
また、図１２に示すように、チャンス役が含まれる当選役グループには、「ＣＺ１」及び「ＣＺ２」が設けられている。
【０２０７】
（図１３及び図１４を用いたバトル演出の流れの説明）
図１３及び図１４を用いて、第１の実施形態におけるバトル演出の流れについて説明する。
まず、図１３を用いて、ＡＲＴ状態に滞在中に特殊攻撃ゲーム数が上限に到達した場合について説明する。
【０２０８】
図１３に示すように、ＡＲＴ状態に移行したことに基づいて、バトル演出制御手段280によりバトル演出が開始される。第１の実施形態では、バトル演出にて対戦可能な敵モンスターが複数体設けられており、まず、対戦する敵モンスターを決定すべく、バトル演出制御手段280による敵モンスター選択抽選が行われ、対戦する敵モンスターが選択される。そして、バトル演出制御手段280による敵モンスター選択抽選により決定された敵モンスターに対応するＨＰが敵ＨＰカウント手段281により設定される（たとえば、敵ＨＰ：「３０」）。
【０２０９】
また、ＡＲＴ状態に移行したことに基づいて、ＡＴゲーム数カウント手段265により、ＡＴゲーム数決定手段264により決定されたＡＴゲーム数「５０」が設定され、ＡＲＴ状態を１ゲーム消化する毎にＡＴゲーム数が「１」減算されていく。さらに、ＡＲＴ状態に移行する前提として、許容区間、具体的には、ＣＺ状態に移行したことに基づいて、許容区間ゲーム数カウント手段300により、許容区間滞在ゲーム数が「０」にリセットされ、その後、許容区間を１ゲーム消化する毎に許容区間滞在ゲーム数が「１」加算されている。そして、ＡＲＴ状態に移行した後も、許容区間ゲーム数カウント手段300がカウントしている許容区間滞在ゲーム数を引き継いで、ＡＲＴ状態を１ゲーム消化する毎に許容区間滞在ゲーム数が「１」加算されていく。
【０２１０】
ここで、ＡＲＴ状態における役抽選にてチャンス役に当選したことに基づいて、判定手段290により、特殊攻撃ゲーム数の初期値として「１」が設定される。そして、この特殊攻撃ゲーム数は、ＡＲＴ状態に滞在中のバトル演出において、１ゲームを消化する毎に判定手段290により「１」ずつ加算されていく。
【０２１１】
その後、ＡＲＴ状態における役抽選にてチャンス役に当選してから１０ゲームを経過した、すなわち、特殊攻撃ゲーム数が上限に到達したと判定手段290により判定されたことに基づいて、バトル演出制御手段280により、特殊攻撃演出が実行される。この特殊攻撃演出では、報知手段510により敵モンスターに与えたダメージ「５」が表示部84に表示されるとともに、敵ＨＰカウント手段281により敵モンスターに与えたダメージ「５」が敵ＨＰから減算される（敵ＨＰ：「３０」→「２５」）。
【０２１２】
なお、上述では、特殊攻撃演出の実行によってのみ、敵ＨＰカウント手段281による敵ＨＰの減算が行われる場合について説明したが、バトル演出の実行中においては、特殊攻撃演出の他にも通常攻撃演出が行われ、敵ＨＰカウント手段281により敵ＨＰの減算が行われることがある。通常攻撃演出は、図示しないが、ＡＲＴ状態における役抽選にてベル役に当選したことに基づいて、バトル演出制御手段280により、通常攻撃演出が実行される。この通常攻撃演出では、報知手段510により敵モンスターに与えたダメージ「１」が表示部84に表示されるとともに、敵ＨＰカウント手段281により敵モンスターに与えたダメージ「１」が敵ＨＰから減算される。なお、通常攻撃演出が実行された場合に敵モンスターに与えるダメージは、特殊攻撃演出が実行された場合に敵モンスターに与えるダメージよりも少なくなっている。
【０２１３】
また、上述ではＡＲＴ状態にのみ滞在していたが、バトル演出の実行中においては、役抽選の当選役に基づいてボーナス内部中状態又はボーナス状態に移行し、当該ボーナス内部中状態又はボーナス状態においてバトル演出が行われることがある。ただし、ボーナス内部中状態に滞在中のバトル演出では、上述のＡＲＴ状態におけるバトル演出とは異なる演出として、自己のキャラクターによる敵モンスターへの攻撃が実行されない待機演出が実行され、設定差のあるボーナス状態に滞在中のバトル演出では、上述のＡＲＴ状態におけるバトル演出とは異なる演出として、自己のキャラクターを紹介する紹介演出が実行される。
【０２１４】
具体的には、ボーナス内部中状態に滞在中のバトル演出では、報知手段510により、ボーナス内部中状態に滞在中、ＡＲＴ状態で表示されていた映像を引き継いだうえで、自己のキャラクターによる敵モンスターへの攻撃が実行されない待機演出が表示部84に表示される。また、設定差のあるボーナス状態に滞在中のバトル演出では、報知手段510により、自己のキャラクターと敵モンスターとが戦っている様子が切り替えられ、設定差のあるボーナス状態に滞在中、自己のキャラクターを紹介する紹介演出が表示部84に表示される。すなわち、ボーナス内部中状態又は設定差のあるボーナス状態に滞在中におけるバトル演出では、自己のキャラクターと敵モンスターとの対戦が一時中断される。そして、対戦の一時中断に伴って、ボーナス内部中状態又は設定差のあるボーナス状態に滞在中は、ＡＴゲーム数カウント手段265によるＡＴゲーム数の減算及び判定手段290による特殊攻撃ゲーム数の加算も中断される。また、ボーナス内部中状態又は設定差のあるボーナス状態に滞在中のバトル演出における役抽選にてベル役に当選した場合、バトル演出制御手段280は、通常攻撃演出を実行しないこととされている。
【０２１５】
したがって、ボーナス内部中状態又は設定差のあるボーナス状態に滞在中のバトル演出では、「敵モンスターのＨＰ」等を引き継ぐが、自己のキャラクターによる敵モンスターへの攻撃演出は行われないこととされている。
【０２１６】
一方、設定差のないボーナス状態に滞在中のバトル演出では、上述のＡＲＴ状態におけるバトル演出と同様に、自己のキャラクターと敵モンスターとの対戦が行われる。つまり、ボーナス内部中状態又は設定差のあるボーナス状態では、自己のキャラクターによる敵モンスターへの攻撃演出が行われず、設定差のないボーナス状態では、特殊攻撃演出を含む攻撃演出が実行可能となっている。
【０２１７】
ただし、設定差のないボーナス状態に滞在中のバトル演出では、設定差のないボーナス状態に滞在中に特殊攻撃ゲーム数が上限に到達したと判定手段290により判定されたことに基づいて、バトル演出制御手段280により実行される特殊攻撃演出のダメージが上述のＡＲＴ状態と異なる。なお、設定差のないボーナス状態に滞在中のバトル演出において、報知手段510により表示部84に表示される映像等は、ＡＲＴ状態に滞在中のバトル演出のものと同様となっている。以下、図１４を用いて、許容区間から移行した設定差のないボーナス状態に滞在中に特殊攻撃ゲーム数が上限に到達した場合について説明する。
【０２１８】
図１４に示すように、ＡＲＴ状態に移行したことに基づいて、バトル演出制御手段280によりバトル演出が開始される。なお、バトル演出の開始に際して行われる処理は、上述の「ＡＲＴ状態に滞在中に特殊攻撃ゲーム数が上限に到達した場合」と同様のため、説明を省略する。
【０２１９】
ここで、ＡＲＴ状態における役抽選にてチャンス役に当選したことに基づいて、判定手段290により、特殊攻撃ゲーム数の初期値として「１」が設定される。そして、この特殊攻撃ゲーム数は、ＡＲＴ状態に滞在中のバトル演出において、１ゲームを消化する毎に判定手段290により「１」ずつ加算されていく。
【０２２０】
その後、特殊攻撃ゲーム数の加算が行われているＡＲＴ状態における役抽選にて、設定差のないボーナス状態への移行に係るボーナス移行役（第３ボーナス役から第５ボーナス役）に当選し、かつ当該ボーナス移行役に対応した図柄61を有効ライン86上に停止表示させることができなかった場合に、ボーナス内部中状態へ移行する。
【０２２１】
そして、ボーナス内部中状態におけるバトル演出では、報知手段510により、ＡＲＴ状態で表示されていた映像が引き継がれたうえで、ボーナス内部中状態に滞在中、自己のキャラクターによる敵モンスターへの攻撃が実行されない待機演出が表示部84に表示される。また、ボーナス内部中状態におけるバトル演出では、ＡＴゲーム数カウント手段265によるＡＴゲーム数の減算及び判定手段290による特殊攻撃ゲーム数の加算が中断される。さらに、ボーナス内部中状態に滞在中のバトル演出における役抽選にてベル役に当選した場合、バトル演出制御手段280による通常攻撃演出は実行されない。
【０２２２】
また、ボーナス内部中状態の滞在中には、報知手段510によりボーナス内部中状態に滞在中である旨が表示部84に表示される。
【０２２３】
その後、「ボーナス内部中状態」において、ボーナス移行役に対応した図柄61が有効ライン86上に停止表示されることで設定差のないボーナス状態へ移行する。そして、設定差のないボーナス状態への移行に係る図柄61が有効ライン86上に停止表示された場合には、報知手段510により、ボーナス移行役（第３ボーナス役、第４ボーナス役又は第５ボーナス役）に当選した旨が表示部84に表示される。
【０２２４】
設定差のないボーナス状態では、設定差のないボーナス状態へ移行したことに伴って、判定手段290による特殊攻撃ゲーム数の加算が再開される。なお、設定差のないボーナス状態へ移行しても、ＡＴゲーム数カウント手段265によるＡＴゲーム数の減算は中断された状態となっている。
【０２２５】
そして、設定差のないボーナス状態に滞在中に、特殊攻撃ゲーム数が上限に到達したと判定手段290により判定されたことに基づいて、バトル演出制御手段280により、特殊攻撃演出が実行される。この特殊攻撃演出では、報知手段510により敵モンスターに与えたダメージ「１０」が表示部84に表示されるとともに、敵ＨＰカウント手段281により敵モンスターに与えたダメージ「１０」が敵ＨＰから減算される（敵ＨＰ：「３０」→「２０」）。その後、設定差のないボーナス状態の終了条件が成立（２００枚を超えるメダルの払い出し、又は規定回数の入賞、若しくは規定回数のゲーム数の消化）したことに基づいて、ＡＲＴ状態へ戻る。そして、ＡＲＴ状態に戻ると、ＡＴゲーム数カウント手段265によるＡＴゲーム数の減算が再開される。
【０２２６】
なお、上述の説明では、設定差のないボーナス状態の終了条件が成立したことに基づいて、ＡＲＴ状態へ戻ると説明したが、この場合には、設定差のないボーナス状態からＡＲＴ状態へ戻る間に、ＡＲＴ準備中状態が介在している。つまり、設定差のないボーナス状態からＡＲＴ準備中状態に移行し、ＡＲＴ準備中状態にて遊技状態が「ＲＴ３」となった後、ＡＲＴ状態へと移行することとされている。
【０２２７】
この場合、ＡＲＴ準備中状態に滞在中では、設定差のないボーナス状態に滞在中に実行されていたバトル演出が継続して実行される。そして、ＡＲＴ準備中状態に滞在中のバトル演出では、ＡＲＴ状態又は設定差のないボーナス状態に滞在中のバトル演出と同様に、攻撃演出を実行することとされている。なお、設定差のないボーナス状態から移行したＡＲＴ準備中状態では、ＡＴゲーム数カウント手段265は、設定差のないボーナス状態への移行前に滞在していたＡＲＴ状態におけるＡＴゲーム数の減算を行ってもよいし、減算を中断してもよい。
【０２２８】
以上のように、第１の実施形態では、ＡＲＴ状態において特殊攻撃演出を実行できる権利を獲得（チャンス役に当選）した後であっても、ボーナス移行役に当選可能であるため、ＡＲＴ状態から設定差のないボーナス状態へ移行することがあり得る。そのため、特殊攻撃演出の実行に係る特殊攻撃ゲーム数が消化され、特殊攻撃演出が実行される際の状態が、ＡＲＴ状態でなく、設定差のないボーナス状態となる場合があり得る。そして、上述のように、設定差のないボーナス状態に滞在中に実行される特殊攻撃演出は、ＡＲＴ状態に滞在中に実行される特殊攻撃演出よりも、遊技者にとって有利な内容となるため、より次のセットのＡＲＴ状態の獲得に近付くこととなる。
【０２２９】
（図１５を用いた遊技の基本的な流れの説明）
図１５に示すフローチャートに基づいて、メイン制御手段200が１ゲーム毎に実行する一般的な遊技制御処理について説明する。
ステップS10において、メイン制御手段200により、スタートスイッチ40の操作があったか否かの判定が行われる。ここで、スタートスイッチ40の操作があったと判定されると、賭け数の設定が不可能な状態とされる。その後、次のステップS11に進む。一方、スタートスイッチ40の操作がないと判定されると、再度ステップS10となる。
【０２３０】
なお、このステップS10の前提として、賭け数設定処理が行われている。この賭け数設定処理では、賭け数として規定の賭け数が設定されたか否かが判定されるものである。具体的には、メイン制御手段200により、当該ゲームの賭け数として設定されているメダルの枚数が規定の賭け数（３枚又は２枚）に達しているか否かの判定が行われる。
【０２３１】
ステップS11において、役抽選手段210により、役抽選処理が行われる。また、このとき、役抽選の結果がメイン制御手段200からサブ制御手段500へ送信される。役抽選処理が終了すると、次のステップS12に進む。
【０２３２】
ステップS12において、リールユニット60における回転リール62の回転変動処理が行われる。回転リール62が所定の回転速度に達した後、回転中の回転リール62に対応するストップスイッチ50の操作があった場合に、リール制御手段220により、各回転リール62の回転が停止させられる。このときのストップスイッチ50（左ストップスイッチＬ、中ストップスイッチＣ、右ストップスイッチＲ）の当選役に対応する押し順は、メイン制御手段200に形成された所定の記憶領域に記憶されると共に、その後の処理にて読み出される。
【０２３３】
また、すべての停止操作終了後、メイン制御手段200からサブ制御手段500へ全回転リール62の回転停止情報が送信される。そして、すべての回転リール62の回転変動処理が終了すると、次のステップS13に進む。
【０２３４】
ステップS13において、停止図柄判定手段230により、有効ライン86上の図柄61の組合せに対して所定の役の図柄61の組合せが揃っているか否かの停止図柄判定処理が行われる。ここで、入賞等の判定処理の判定結果のデータは、メイン制御手段200からサブ制御手段500へ送信される。そして、判定処理が終わると、次のステップS14に進む。
【０２３５】
ステップS14において、配当付与手段240により、停止図柄判定手段230の判定結果に対応した払出処理等が行われる。なお、判定結果、払出が不要な場合には、払出処理は行われない。そして、当該処理を終了する。
【０２３６】
（図１６から図１８を用いたバトル演出の流れの説明）
図１６から図１８に示すフローチャートに基づいて、第１の実施形態におけるバトル演出の流れについて説明する。
まず、図１６及び図１７に示すフローチャートを用いて、バトル演出の基本的な流れについて説明する。
【０２３７】
図１６に示すように、ステップS20において、メイン制御手段200により、スタートスイッチ40の操作があったか否かの判定が行われる。ここで、スタートスイッチ40の操作があったと判定されると、賭け数の設定が不可能な状態とされる。その後、次のステップS21に進む。一方、スタートスイッチ40の操作がないと判定されると、再度ステップS20となる。
【０２３８】
ステップS21において、役抽選手段210により、役抽選処理が行われる。役抽選処理が終了すると、次のステップS22に進む。
【０２３９】
ステップS22において、バトル演出制御手段280により、ボーナス内部中状態又は設定差のあるボーナス状態以外に滞在中であるか否かの判定が行われる。ここで、バトル演出制御手段280により、ボーナス内部中状態又は設定差のあるボーナス状態以外に滞在中であると判定されると、ステップS24に進む。一方、バトル演出制御手段280により、ボーナス内部中状態又は設定差のあるボーナス状態以外に滞在中であると判定されないと、次のステップS23に進む。
【０２４０】
ステップS23において、バトル演出制御手段280により、ボーナス内部中状態又は設定差のあるボーナス状態に対応した演出が実行される。その後、ステップS20に戻る。
【０２４１】
ステップS24において、バトル演出制御手段280により、判定手段290による特殊攻撃ゲーム数のカウントが行われているか否かの判定が行われる。ここで、バトル演出制御手段280により、判定手段290による特殊攻撃ゲーム数のカウントが行われていると判定されると、次のステップS25に進む。一方、バトル演出制御手段280により、判定手段290による特殊攻撃ゲーム数のカウントが行われていると判定されないと、ステップS26に進む。
【０２４２】
ステップS25において、判定手段290により、特殊攻撃ゲーム数が「１」加算される。その後、次のステップS26に進む。
【０２４３】
ステップS26において、バトル演出制御手段280により、ステップS21における役抽選にてチャンス役に当選したか否かの判定が行われる。ここで、バトル演出制御手段280により、ステップS21における役抽選にてチャンス役に当選したと判定されると、次のステップS27に進む。一方、バトル演出制御手段280により、ステップS21における役抽選にてチャンス役に当選したと判定されないと、ステップS29に進む。
【０２４４】
図１７に示すように、ステップS27において、バトル演出制御手段280により、判定手段290による特殊攻撃ゲーム数のカウントが行われているか否かの判定が行われる。ここで、バトル演出制御手段280により、判定手段290による特殊攻撃ゲーム数のカウントが行われていると判定されると、ステップS32に進む。一方、バトル演出制御手段280により、判定手段290による特殊攻撃ゲーム数のカウントが行われていると判定されないと、次のステップS28に進む。
【０２４５】
ステップS28において、判定手段290により、特殊攻撃ゲーム数の初期値として、特殊攻撃ゲーム数が「１」設定される。その後、ステップS32に進む。
【０２４６】
ステップS29において、バトル演出制御手段280により、ステップS21における役抽選にてベル役に当選したか否かの判定が行われる。ここで、バトル演出制御手段280により、ステップS21における役抽選にてベル役に当選したと判定されると、次のステップS30に進む。一方、バトル演出制御手段280により、ステップS21における役抽選にてベル役に当選したと判定されないと、ステップS31に進む。
【０２４７】
ステップS30において、バトル演出制御手段280により、通常ＨＰ減算処理が行われる。具体的には、バトル演出制御手段280により通常攻撃演出が実行され、ステップS21における役抽選にて当選したベル役に対応するダメージ（たとえば、「１」）が決定されるとともに、当該ダメージが敵ＨＰカウント手段281により敵ＨＰから減算される。当該ダメージが敵ＨＰカウント手段281により敵ＨＰから減算された場合には、報知手段510により、通常攻撃演出とともに、当該ダメージ「１」が表示部84に表示される。その後、ステップS32に進む。
【０２４８】
ステップS31において、バトル演出制御手段280により、通常演出処理が行われる。具体的には、バトル演出制御手段280により攻撃演出以外の演出が実行される。その後、次のステップS32に進む。
【０２４９】
ステップS32において、判定手段290により、特殊攻撃ゲーム数が「１０」に到達したか否かの判定が行われる。ここで、判定手段290により、特殊攻撃ゲーム数が「１０」に到達したと判定されると、次のステップS33に進む。一方、判定手段290により、特殊攻撃ゲーム数が「１０」に到達したと判定されないと、ステップS34に進む。
【０２５０】
ステップS33において、バトル演出制御手段280により、特殊ＨＰ減算処理が行われる。その後、次のステップS34に進む。なお、特殊ＨＰ減算処理については後述する。
【０２５１】
ステップS34において、バトル演出制御手段280により、ＡＲＴ状態に滞在中であるか否かの判定が行われる。ここで、バトル演出制御手段280により、ＡＲＴ状態に滞在中であると判定されると、次のステップS35に進む。一方、バトル演出制御手段280により、ＡＲＴ状態に滞在中であると判定されないと、ステップS36に進む。
【０２５２】
ステップS35において、許容区間ゲーム数・ＡＴゲーム数更新処理が行われる。具体的には、許容区間ゲーム数カウント手段300により、許容区間ゲーム数が「１」加算され、ＡＴゲーム数カウント手段265により、ＡＴゲーム数が「１」減算される。その後、次のステップS36に進む。
【０２５３】
ステップS36において、バトル演出制御手段280により、敵ＨＰカウント手段281がカウントしている敵モンスターのＨＰが「０」であるか否かの判定が行われる。ここで、バトル演出制御手段280により、敵ＨＰカウント手段281がカウントしている敵モンスターのＨＰが「０」であると判定されると、次のステップS37に進む。一方、バトル演出制御手段280により、敵ＨＰカウント手段281がカウントしている敵モンスターのＨＰが「０」であると判定されないと、ステップS38に進む。
【０２５４】
ステップS37において、バトル演出制御手段280により、次のセットのＡＴ遊技が付与される。そして、当該処理を終了する。
【０２５５】
ステップS38において、ＡＴゲーム数上限判定手段266により、ＡＴゲーム数カウント手段265がカウントしているＡＴゲーム数が上限値に達したか否かの判定が行われる。ここで、ＡＴゲーム数上限判定手段266により、ＡＴゲーム数カウント手段265がカウントしているＡＴゲーム数が上限値に達したと判定されると、当該処理を終了する。一方、ＡＴゲーム数上限判定手段266により、ＡＴゲーム数カウント手段265がカウントしているＡＴゲーム数が上限値に達したと判定されないと、次のステップS39に進む。
【０２５６】
ステップS39において、バトル演出制御手段280により、許容区間ゲーム数カウント手段300がカウントしている許容区間ゲーム数が上限値に達したか否かの判定が行われる。ここで、バトル演出制御手段280により、許容区間ゲーム数カウント手段300がカウントしている許容区間ゲーム数が上限値に達したと判定されると、当該処理を終了する。一方、バトル演出制御手段280により、許容区間ゲーム数カウント手段300がカウントしている許容区間ゲーム数が上限値に達したと判定されないと、ステップS20に戻る。
【０２５７】
次に、図１８に示すフローチャートを用いて、バトル演出中における特殊ＨＰ減算処理について説明する。
【０２５８】
ステップS40において、バトル演出制御手段280により、設定差のないボーナス状態に滞在中であるか否かの判定が行われる。ここで、バトル演出制御手段280により、設定差のないボーナス状態に滞在中であると判定されると、ステップS42に進む。一方、バトル演出制御手段280により、設定差のないボーナス状態に滞在中であると判定されないと、次のステップS41に進む。
【０２５９】
ステップS41において、敵ＨＰカウント手段281により、ダメージ「５」が敵ＨＰから減算される。そして、当該処理を終了する。
【０２６０】
ステップS42において、敵ＨＰカウント手段281により、ダメージ「１０」が敵ＨＰから減算される。そして、当該処理を終了する。
【０２６１】
（第１の実施形態の作用効果）
第１の実施形態では、バトル演出制御手段280により、ＡＲＴ状態において開始されたバトル演出が、ＡＲＴ状態からボーナス内部中状態又はボーナス状態へ移行した後においても継続して実行される。そのため、第１の実施形態によれば、バトル演出が物語性を有する内容の場合、ＡＲＴ状態からボーナス内部中状態又はボーナス状態へ移行した後であっても、その物語性を途切れることなく遊技者に見せることができる。
【０２６２】
また、第１の実施形態では、判定手段290は、ＡＲＴ状態及び設定差のないボーナス状態において特殊攻撃ゲーム数のカウントを進行し、ボーナス内部中状態及び設定差のあるボーナス状態において特殊攻撃ゲーム数のカウントを停止することとされている。つまり、第１の実施形態では、ボーナス図柄を揃えることでボーナス状態へ移行するボーナス内部中状態に滞在中の場合に、判定手段290は特殊攻撃ゲーム数のカウントを停止するものである。そのため、第１の実施形態によれば、ボーナス内部中状態に滞在中の場合、特殊攻撃ゲーム数のカウントが停止されるため、ボーナス図柄を容易に揃えることのできない初心者が遊技する場合であっても、上級者との間の遊技の技量による獲得利益の差を埋めることができる。
【０２６３】
また、第１の実施形態では、回転リール62に注視することで遊技者の表示部84への関心が薄れがちなボーナス内部中状態に滞在中の場合、特殊攻撃ゲーム数のカウントが停止されるため、特殊攻撃ゲーム数の経過を条件とする特殊攻撃演出が実行されることがない。そのため、第１の実施形態によれば、ボーナス内部中状態における特殊攻撃演出の実行を回避でき、遊技者が回転リール62に注視することの少ない状態にて特殊攻撃演出を効果的に実行することができる。
【０２６４】
また、第１の実施形態では、ＡＲＴ状態における役抽選にて、ボーナス移行役に当選したことに基づいて、報知手段510によりボーナス内部中状態に滞在中である旨が表示部84に表示されることとされている。そのため、第１の実施形態によれば、遊技者にボーナス内部中状態に滞在中であることを認識させることができ、バトル演出中におけるゲーム数が不定な期間をなくすことができる。したがって、第１の実施形態によれば、遊技者にボーナス内部中状態に滞在中であることを認識させることにより、特殊攻撃演出の実行契機を予測させることができ、特殊攻撃演出への期待感を高揚させることで遊技の興趣を高めることができる。
【０２６５】
また、第１の実施形態では、ボーナス状態は、設定差のあるボーナス状態と、設定差のないボーナス状態とを備えている。また、第１の実施形態では、設定差のあるボーナス状態に滞在中の場合、判定手段290による特殊攻撃ゲーム数のカウントが停止されるため、特殊攻撃ゲーム数の経過を条件とする特殊攻撃演出が実行されることがない。さらに、第１の実施形態では、バトル演出制御手段280により、設定差のないボーナス状態に滞在中に判定手段290により特殊攻撃ゲーム数を経過したと判定されたことに基づいて実行される特殊攻撃演出が、ＡＲＴ状態に滞在中に判定手段290により特殊攻撃ゲーム数を経過したと判定されたことに基づいて実行される特殊攻撃演出に比べて、遊技者にとって有利な内容とされている。そして、第１の実施形態では、設定差のあるボーナス状態への移行に係るボーナス移行役に当選したことに基づいて、報知手段510により設定差のあるボーナス状態への移行に係るボーナス移行役に当選した旨が表示部84に表示され、設定差のないボーナス状態への移行に係るボーナス移行役に当選したことに基づいて、報知手段510により設定差のないボーナス状態への移行に係るボーナス移行役に当選した旨が表示部84に表示されることとされている。そのため、第１の実施形態によれば、ＡＲＴ状態からボーナス状態への移行が決定されたとしても、そのボーナス状態が設定差のあるボーナス状態又は設定差のないボーナス状態の何れの状態であるかを認識するまで遊技者を焦らすことができ、遊技進行に一喜一憂させ、遊技の興趣を高めることができる。
【０２６６】
また、第１の実施形態では、ＡＴゲーム数カウント手段265は、ＡＲＴ状態においてＡＴゲーム数のカウントを進行し、ボーナス内部中状態及びボーナス状態においてＡＴゲーム数のカウントを停止することとされている。そのため、第１の実施形態によれば、ＡＴゲーム数カウント手段265により、ボーナス内部中状態及びボーナス状態においてＡＴゲーム数のカウントが停止されるため、ＡＲＴ状態からボーナス内部中状態又はボーナス状態へ移行したとしても、ＡＲＴ状態の進行に関して遊技者の不利になることがない。また、第１の実施形態によれば、ＡＲＴ状態からボーナス状態のうち、設定差のないボーナス状態へ移行した場合には、ＡＴゲーム数のカウントを停止しつつ、特殊攻撃ゲーム数のカウントが進行されることとなり、設定差のないボーナス状態へ移行することがＡＲＴ状態に滞在している場合に比べて、遊技者にとって有利なものとすることができる。
【０２６７】
（その他）
第１の実施形態では、ＡＲＴ状態における役抽選にてチャンス役に当選したことに基づいて特殊攻撃ゲーム数のカウントが開始され、この特殊攻撃ゲーム数が上限に到達したことに基づいて特殊攻撃演出が実行されることとしたが、特殊攻撃演出の実行方法は、所定の特殊攻撃ゲーム数を経過することには限られない。
【０２６８】
たとえば、ＡＲＴ状態における役抽選にてレア役（たとえば、「チャンス役」）に当選したことに基づいて、特殊攻撃演出の実行に係る特殊攻撃実行抽選がバトル演出制御手段280により次遊技から行われ、この特殊攻撃実行抽選に当選することにより特殊攻撃演出を実行してもよい。この場合におけるボーナス内部中状態又は設定差のあるボーナス状態に滞在中のバトル演出では、バトル演出制御手段280による特殊攻撃実行抽選を行わないことにより、特殊攻撃演出の実行を回避することが望ましい。一方、この場合における設定差のないボーナス状態に滞在中のバトル演出では、ＡＲＴ状態と同様に、バトル演出制御手段280による特殊攻撃実行抽選を行い、この特殊攻撃実行抽選に当選することにより特殊攻撃演出を実行することが望ましい。さらに、第１の実施形態における特殊攻撃演出と同様に、設定差のないボーナス状態に滞在中のバトル演出にて特殊攻撃演出が実行された場合には、ＡＲＴ状態に滞在中のバトル演出にて特殊攻撃演出が実行された場合に比べて、遊技者にとって有利な内容とすることが望ましい。
【０２６９】
また、第１の実施形態では、バトル演出制御手段280は、敵モンスターへ与えるダメージに優劣を付けることで、設定差のないボーナス状態に滞在中に実行される特殊攻撃演出をＡＲＴ状態に滞在中に実行される特殊攻撃演出に比べて、遊技者にとって有利な内容としていたが、「遊技者にとって有利な内容」とは、敵モンスターへ与えるダメージに優劣を付けることには限られない。
【０２７０】
たとえば、バトル演出制御手段280は、設定差のないボーナス状態に滞在中に実行される特殊攻撃演出にて設定示唆を行うことにより、設定差のないボーナス状態に滞在中に実行される特殊攻撃演出をＡＲＴ状態に滞在中に実行される特殊攻撃演出に比べて、遊技者にとって有利な内容としてもよい。たとえば、設定示唆として、特殊攻撃演出の実行中に、報知手段510により設定値が表示部84に表示される。なお、設定示唆演出は、設定値を示唆する演出であれば、前述の内容には限られない。
【０２７１】
さらに、バトル演出制御手段280は、設定差のないボーナス状態に滞在中に実行される特殊攻撃演出にて、報知手段510により表示部84にいわゆるプレミア映像を表示させることにより、設定差のないボーナス状態に滞在中に実行される特殊攻撃演出をＡＲＴ状態に滞在中に実行される特殊攻撃演出に比べて、遊技者にとって有利な内容としてもよい。たとえば、プレミア映像として、報知手段510により表示部84に特別なキャラクターが表示される。なお、プレミア映像は、設定差のないボーナス状態に滞在中に実行される特殊攻撃演出でのみ、報知手段510により表示部84に表示されるものであれば、前述の内容には限られない。
【０２７２】
また、第１の実施形態では、ボーナス状態を「設定差のあるボーナス状態」と「設定差のないボーナス状態」との２種類設けることとしたが、ボーナス状態は、「設定差のないボーナス状態」の１種類のみであってもよい。
【０２７３】
ボーナス状態を「設定差のないボーナス状態」の１種類のみとした場合であっても、ボーナス状態に滞在中に実行される特殊攻撃演出が、ＡＲＴ状態に滞在中に実行される特殊攻撃演出に比べて、遊技者にとって有利な内容とすれば、上述の第１の実施形態と同様の作用効果を奏する。つまり、この構成によれば、判定手段290により特殊攻撃ゲーム数を経過したと判定される状態が何れの状態であるかについての関心を高めることができ、遊技進行に一喜一憂させ、遊技の興趣を高めることができる。
【０２７４】
また、攻撃演出にて敵モンスターに与えるダメージは、役抽選の結果に基づいて敵モンスターに与えるダメージを決定するダメージ決定抽選を行い、このダメージ決定抽選の結果により決定してもよい。つまり、第１の実施形態のように、通常攻撃演出や特殊攻撃演出で予め設定された固定値（「１」、「５」又は「１０」）をダメージとして敵モンスターに与えることに限らず、ダメージ決定抽選を行うことにより、攻撃演出にて敵モンスターに与えるダメージを変動させてもよい。この場合には、所定のダメージ役を複数種類設け（たとえば、ベル役、リプレイ役、レア役）、役抽選にて複数種類の所定のダメージ役のいずれかに当選したことに基づいてダメージ決定抽選を行ってもよい。
【０２７５】
そして、ダメージ決定抽選の結果は、各攻撃演出に対応した数値を用いて、攻撃なし（すなわち、ダメージ「０」）、小ダメージ（たとえば、「１」）、中ダメージ（たとえば、「５」）及び大ダメージ（たとえば、「１０」）等としてもよい。なお、バトル演出における敵モンスターを複数種類設けた場合には、当該バトル演出における敵モンスターの種類に応じて、各攻撃演出に対応するダメージ決定抽選の結果を異ならせてもよい。
【０２７６】
また、第１の実施形態では、通常攻撃演出や特殊攻撃演出で予め設定された固定値（「１」、「５」又は「１０」）をダメージとして敵モンスターに与えることとしたが、これに限らず、各攻撃演出にて敵モンスターに与えるダメージを抽選により複数の中から選択してもよい。
たとえば、バトル演出制御手段280は、複数段階（たとえば、「１から３」）設けられた攻撃のレベルと、その各レベルに対応して複数種類（たとえば、「３種類」）設けられたダメージとを含むダメージ情報を記憶している。そして、バトル演出制御手段280は、各攻撃演出の実行条件が成立したことに基づいて、当該攻撃演出のレベルを決定するレベル決定抽選、及びレベル決定抽選の結果により決定されたレベル内に設けられたダメージの中から当該ダメージを選択するダメージ選択抽選とを行う。
【０２７７】
ここで、敵モンスターのＨＰを「３０」とした場合における設定差のないボーナス状態に滞在中に実行される特殊攻撃演出のダメージ情報（以下、「特殊ダメージ情報」とする）は、たとえば以下のようにしてもよい。
特殊ダメージ情報のうち、攻撃のレベルとしては「レベル１からレベル３」の３段階を設ける。特殊ダメージ情報のうち、「レベル１」に対応して複数種類設けられたダメージとしては「１０・１５・２０」と、「レベル２」に対応して複数種類設けられたダメージとしては「１５・２０・２５」と、「レベル３」に対応して複数種類設けられたダメージとしては「２０・２５・３０」とする。
【０２７８】
上述のように、レベル３で敵モンスターへ与えることができる最大のダメージは、敵モンスターに設定されたＨＰ以上とすることが望ましい。このような構成により、設定差のないボーナス状態に滞在中に特殊攻撃演出が実行された時点で敵モンスターの討伐が可能となる。そのため、残りのＡＴゲーム数が少ない状況であっても、遊技者に敵モンスターを討伐する機会を与えることができ、特殊攻撃演出への期待感を高揚させることで遊技の興趣を高めることができる。
【０２７９】
また、第１の実施形態では、特殊攻撃演出を実行できる権利を獲得（チャンス役に当選）すると、次のゲームから判定手段290により特殊攻撃ゲーム数のカウントが開始されることとしたが、この構成には限られない。
【０２８０】
たとえば、特殊攻撃演出を実行できる権利を獲得しても、バトル演出制御手段280は、その獲得した権利を、一旦、留保（複数留保可）し、その獲得した権利の留保を解除する解除条件が成立（たとえば、解除抽選に当選）した場合に、その留保した権利を１つ消費して、判定手段290による特殊攻撃ゲーム数のカウントを開始させてもよい。なお、この場合に複数の上記権利を留保していたときには、バトル演出制御手段280は、その複数獲得している権利を全て消費して、判定手段290による特殊攻撃ゲーム数のカウントを開始させてもよい。つまり、この場合、バトル演出制御手段280は、判定手段290により、特殊攻撃ゲーム数が経過したと判定されたときには、特殊攻撃演出を連続して実行してもよい。
【０２８１】
本発明における「第１状態又は第２状態から移行可能な第３状態」とは、第１の実施形態おいては「ボーナス状態は、ＡＲＴ状態又はボーナス内部中状態から移行可能」であることに相当する。具体的には、ボーナス状態（第３状態）への移行形態には、ＡＲＴ状態（第１状態）からボーナス内部中状態（第２状態）を経て移行する、すなわち、ボーナス内部中状態（第２状態）への移行を要する場合と、ボーナス内部中状態（第２状態）を経ることなくＡＲＴ状態（第１状態）から直接移行する、すなわち、ボーナス内部中状態（第２状態）への移行を要しない場合との双方を含む。
【０２８２】
また、本発明における「第１状態において開始され、第１状態から第２状態又は第３状態へ移行した後においても継続して実行される継続演出」とは、第１の実施形態おいては「バトル演出は、ＡＲＴ状態において開始され、ＡＲＴ状態からボーナス内部中状態又はボーナス状態へ移行した後においても継続して実行される」ことに相当する。そして、このバトル演出には、ＡＲＴ状態（第１状態）において開始され、ＡＲＴ状態（第１状態）からボーナス内部中状態（第２状態）を経てボーナス状態（第３状態）へ移行し、ボーナス状態（第３状態）においても、それまでの一連の演出内容が継続して実行されるものが含まれる。また、このバトル演出には、ＡＲＴ状態（第１状態）において開始され、ボーナス内部中状態（第２状態）を経ることなく、ＡＲＴ状態（第１状態）からボーナス状態（第３状態）へ移行し、ボーナス状態（第３状態）においても、それまでの一連の演出内容が継続して実行されるものが含まれる。
【０２８３】
また、本発明における「第３状態に滞在中に実行される特定演出を第１状態に滞在中に実行される特定演出に比べて、遊技者にとって有利な内容とする」とは、「遊技者にとって有利な遊技結果が得られる場合に、遊技者にとって有利な内容を示唆又は報知する内容の特定演出を実行する」と言い換えることができる。
【０２８４】
たとえば、ＡＲＴ状態（第１状態）において遊技者にとって有利な遊技結果が得られるか否か（例：ＡＴゲーム数の上乗せの可否）が抽選により決定され、当該抽選の結果により有利な遊技結果が得られる場合（例：ＡＴゲーム数の上乗せが決定）には、ボーナス状態（第３状態）において当該有利な遊技結果に応じた内容の特定演出が実行されることとする。これにより、ボーナス状態（第３状態）に滞在中に実行される特定演出をＡＲＴ状態（第１状態）に滞在中に実行される特定演出に比べて、遊技者にとって有利な内容とすることができる。
【０２８５】
また、本発明における「第３状態に滞在中に実行される特定演出を第１状態に滞在中に実行される特定演出に比べて、遊技者にとって有利な内容とする」こととは、たとえば、以下の内容であってもよい。
【０２８６】
たとえば、バトル演出がキャラクターＡとキャラクターＢとが対戦する内容であって、キャラクターＡがキャラクターＢへ付与するダメージが大きいほど有利な遊技結果が得られる遊技性であるとする。また、この場合における特定演出の内容をキャラクターＡがキャラクターＢに攻撃を加えることにより、キャラクターＢにダメージを付与するものとする。そして、ＡＲＴ状態（第１状態）の滞在中に特定演出が実行された場合に付与可能なダメージの範囲（例：ダメージ＝１から５）に比べ、ボーナス状態（第３状態）の滞在中に特定演出が実行された場合に付与可能なダメージの範囲（例：ダメージ＝６から１０）を大きくすることにより、ボーナス状態（第３状態）に滞在中に実行される特定演出をＡＲＴ状態（第１状態）に滞在中に実行される特定演出に比べて、遊技者にとって有利な内容としてもよい。
【０２８７】
（第２の実施形態）
以下、本実施の形態に係る第２の実施形態について、第１の実施形態と重複する部分は説明を省略しつつ説明する。
第２の実施形態は、バトル演出が非許容区間にて開始される点で、バトル演出が許容区間にて開始される第１の実施形態と異なる。
【０２８８】
まず、図１９を用いて、非許容区間に滞在中に特殊攻撃ゲーム数が上限に到達した場合について説明する。
図１９に示すように、非許容区間における役抽選にてレア役としてのチャンス役に当選したことに基づいて、バトル演出制御手段280によりバトル演出が開始される。つまり、第２の実施形態におけるバトル演出は、非許容区間における役抽選にてチャンス役の当選に伴って開始される点で、ＡＲＴ状態への移行に伴ってバトル演出が開始される第１の実施形態と異なる。
【０２８９】
また、第２の実施形態におけるバトル演出は、所定のゲーム数の間に自己のキャラクターがバトル演出で勝利した場合に次のセットのＡＲＴ状態が付与される第１の実施形態と異なっている。具体的には、第２の実施形態におけるバトル演出は、所定のゲーム数（たとえば、「役抽選にてチャンス役に当選してから１０ゲーム」）の経過時に、自己のキャラクターと敵モンスターとのバトルが決着し、その結果として自己のキャラクターがバトル演出に勝利していれば次のセットのＡＲＴ状態が付与されることとされている。すなわち、第２の実施形態におけるバトル演出は、１ゲーム内での一発勝負でバトル演出の勝敗が決する点で、所定のゲーム数の間の自己のキャラクターと敵モンスターとの攻防の結果によりバトル演出の勝敗が決する第１の実施形態と異なっている。
【０２９０】
そして、非許容区間における役抽選にてチャンス役に当選したことに基づいて、判定手段290により、特殊攻撃ゲーム数の初期値として「１」が設定される。そして、この特殊攻撃ゲーム数は、１ゲームを消化する毎に判定手段290により「１」ずつ加算されていく。
【０２９１】
その後、非許容区間における役抽選にてチャンス役に当選してから１０ゲームを経過した、すなわち、特殊攻撃ゲーム数が上限に到達したと判定手段290により判定されたことに基づいて、バトル演出制御手段280により、特殊攻撃演出が実行される。この特殊攻撃演出では、当該バトル演出の勝敗を決すべく、移行抽選手段270によりＡＴ抽選が実行される（ＡＴ抽選当選確率：５０％）。そして、移行抽選手段270によるＡＴ抽選に当選した場合には、バトルに勝利したこととなり、ＡＲＴ準備中状態に移行する。一方、移行抽選手段270によるＡＴ抽選に当選しなかった場合には、バトルに敗北したこととなり、非許容区間を継続することとなる。
【０２９２】
なお、第２の実施形態におけるバトル演出は、１ゲーム内での一発勝負でバトル演出の勝敗が決することとされているが、第１の実施形態と同様に、バトル演出の開始から終了までの間は報知手段510により自己のキャラクターと敵モンスターとが戦っている様子が表示部84に表示されている。
【０２９３】
次に、図２０を用いて、非許容区間から移行した設定差のないボーナス状態に滞在中に特殊攻撃ゲーム数が上限に到達した場合について説明する。
図２０に示すように、非許容区間における役抽選にてチャンス役に当選したことに基づいて、バトル演出制御手段280によりバトル演出が開始される。
【０２９４】
そして、非許容区間における役抽選にてチャンス役に当選したことに基づいて、判定手段290により、特殊攻撃ゲーム数の初期値として「１」が設定される。そして、この特殊攻撃ゲーム数は、１ゲームを消化する毎に判定手段290により「１」ずつ加算されていく。
【０２９５】
その後、特殊攻撃ゲーム数の加算が行われている非許容区間における役抽選にて、設定差のないボーナス状態への移行に係るボーナス移行役（第３ボーナス役から第５ボーナス役）に当選し、かつ当該ボーナス移行役に対応した図柄61を有効ライン86上に停止表示させることができなかった場合に、ボーナス内部中状態へ移行する。
【０２９６】
そして、ボーナス内部中状態におけるバトル演出では、報知手段510により、非許容区間で表示されていた映像が引き継がれたうえで、ボーナス内部中状態に滞在中、自己のキャラクターによる敵モンスターへの攻撃が実行されない待機演出が表示部84に表示される。また、ボーナス内部中状態におけるバトル演出では、判定手段290による特殊攻撃ゲーム数の加算が中断される。
【０２９７】
また、ボーナス内部中状態の滞在中には、報知手段510によりボーナス内部中状態に滞在中である旨が表示部84に表示される。
【０２９８】
その後、「ボーナス内部中状態」において、ボーナス移行役に対応した図柄61が有効ライン86上に停止表示されることで設定差のないボーナス状態へ移行する。そして、設定差のないボーナス状態への移行に係る図柄61が有効ライン86上に停止表示された場合には、報知手段510により、ボーナス移行役（第３ボーナス役、第４ボーナス役又は第５ボーナス役）に当選した旨が表示部84に表示される。
【０２９９】
設定差のないボーナス状態では、設定差のないボーナス状態へ移行したことに伴って、判定手段290による特殊攻撃ゲーム数の加算が再開される。
【０３００】
そして、設定差のないボーナス状態に滞在中に、特殊攻撃ゲーム数が上限に到達したと判定手段290により判定されたことに基づいて、バトル演出制御手段280により、特殊攻撃演出が実行される。この特殊攻撃演出では、当該バトル演出の勝敗を決すべく、移行抽選手段270によりＡＴ抽選が実行される（ＡＴ抽選当選確率：８０％）。そして、移行抽選手段270によるＡＴ抽選に当選した場合には、バトルに勝利したこととなり、ＡＲＴ準備中状態に移行する。一方、移行抽選手段270によるＡＴ抽選に当選しなかった場合には、バトルに敗北したこととなり、非許容区間を継続することとなる。
【０３０１】
以上のように、第２の実施形態では、非許容区間において特殊攻撃演出を実行できる権利を獲得（チャンス役に当選）した後であっても、ボーナス移行役に当選可能であるため、非許容区間から設定差のないボーナス状態へ移行することがあり得る。そのため、特殊攻撃演出の実行に係る特殊攻撃ゲーム数が消化され、特殊攻撃演出が実行される際の状態が、非許容区間でなく、設定差のないボーナス状態となる場合があり得る。そして、上述のように、設定差のないボーナス状態に滞在中に実行される特殊攻撃演出は、非許容区間に滞在中に実行される特殊攻撃演出よりも、遊技者にとって有利な内容となっている。つまり、設定差のないボーナス状態に滞在中に実行される特殊攻撃演出は、ＡＴ抽選の当選確率が「８０％」となっている点で、ＡＴ抽選の当選確率が「５０％」となっている非許容区間に滞在中に実行される特殊攻撃演出よりも遊技者にとって有利となるため、よりＡＲＴ状態への移行に近付くこととなる。
【０３０２】
（第２の実施形態の作用効果）
第２の実施形態では、第１の実施形態の作用効果に加えて、以下の作用効果を奏する。
第２の実施形態では、バトル演出制御手段280により、非許容区間において開始されたバトル演出が、非許容区間からボーナス内部中状態又はボーナス状態へ移行した後においても継続して実行される。そのため、第２の実施形態によれば、バトル演出が物語性を有する内容の場合、非許容区間からボーナス内部中状態又はボーナス状態へ移行した後であっても、その物語性を途切れることなく遊技者に見せることができる。
【０３０３】
また、第２の実施形態では、判定手段290は、非許容区間及び設定差のないボーナス状態において特殊攻撃ゲーム数のカウントを進行し、ボーナス内部中状態及び設定差のあるボーナス状態において特殊攻撃ゲーム数のカウントを停止することとされている。つまり、第２の実施形態では、ボーナス図柄を揃えることでボーナス状態へ移行するボーナス内部中状態に滞在中の場合に、判定手段290は特殊攻撃ゲーム数のカウントを停止するものである。そのため、第２の実施形態によれば、ボーナス内部中状態に滞在中の場合、特殊攻撃ゲーム数のカウントが停止されるため、ボーナス図柄を容易に揃えることのできない初心者が遊技する場合であっても、上級者との間の遊技の技量による獲得利益の差を埋めることができる。
【０３０４】
また、第２の実施形態では、非許容区間における役抽選にて、ボーナス移行役に当選したことに基づいて、報知手段510によりボーナス内部中状態に滞在中である旨が表示部84に表示されることとされている。そのため、第２の実施形態によれば、遊技者にボーナス内部中状態に滞在中であることを認識させることができ、バトル演出中におけるゲーム数が不定な期間をなくすことができる。したがって、第２の実施形態によれば、遊技者にボーナス内部中状態に滞在中であることを認識させることにより、特殊攻撃演出の実行契機を予測させることができ、特殊攻撃演出への期待感を高揚させることで遊技の興趣を高めることができる。
【符号の説明】
【０３０５】
10  遊技機                              12  筐体
14  前扉                                16  図柄表示窓部
17  メダルセレクタ                      18  外部集中端子板
19  扉開閉用スイッチ                    20  上パネル
22  下パネル                            24  ホッパーユニット
26  メダル受け皿                        28  メダル払出口
30  操作部                              32  ベットスイッチ
34  マックスベットスイッチ              35  シングルベットスイッチ
36  精算スイッチ                        38  メダル投入口
40  スタートスイッチ                    42  演出用ボタンスイッチ
43  電源ユニット                        44  電源スイッチ
45  設定キースイッチ                    46  設定変更スイッチ
50  ストップスイッチ                    Ｌ  左ストップスイッチ
Ｃ  中ストップスイッチ                  Ｒ  右ストップスイッチ
60  リールユニット                      61  図柄
62  回転リール                          63  リール位置センサ
64  左回転リール                        65  リール駆動モータ
66  中回転リール                        67  バックランプ
68  右回転リール                        70  演出装置
72  スピーカー                          74  上部スピーカー
76  下部スピーカー                      78  演出用ランプ
80  上部ランプ                          82  下部ランプ
84  表示部                              86  有効ライン
87  クレジット表示器                    88  払出枚数表示器
89  設定表示器                          90  区間報知ランプ
92  投入センサ
94  払出センサ                          95  ホッパーモータ
96  オーバーフローセンサ            
100  制御装置
200  メイン制御手段                     210  役抽選手段
220  リール制御手段                     230  停止図柄判定手段
240  配当付与手段                       250  遊技状態制御手段
251  ノーマル状態制御手段               252  ＲＴ状態制御手段
253  ボーナス内部中状態制御手段         254  ボーナス状態制御手段
260  演出状態制御手段                   261  通常状態制御手段 
262  ＣＺ状態制御手段                   263  ＡＴ状態制御手段
264  ＡＴゲーム数決定手段               265  ＡＴゲーム数カウント手段
266  ＡＴゲーム数上限判定手段           270  移行抽選手段
280  バトル演出制御手段                 281  敵ＨＰカウント手段
290  判定手段                           300  許容区間ゲーム数カウント手段
500  サブ制御手段                       510  報知手段
【図１】
2018143443.tif 000003
【図２】
2018143443.tif 000004
【図３】
2018143443.tif 000005
【図４】
2018143443.tif 000006
【図５】
2018143443.tif 000007
【図６】
2018143443.tif 000008
【図７】
2018143443.tif 000009
【図８】
2018143443.tif 000010
【図９】
2018143443.tif 000011
【図１０】
2018143443.tif 000012
【図１１】
2018143443.tif 000013
【図１２】
2018143443.tif 000014
【図１３】
2018143443.tif 000015
【図１４】
2018143443.tif 000016
【図１５】
2018143443.tif 000017
【図１６】
2018143443.tif 000018
【図１７】
2018143443.tif 000019
【図１８】
2018143443.tif 000020
【図１９】
2018143443.tif 000021
【図２０】
2018143443.tif 000022